(57)【特許請求の範囲】
【請求項１】
記憶媒体を外部に発行するために貯留しておく記憶媒体貯留手段と、
記憶媒体を受け入れる記憶媒体受入手段と、
前記記憶媒体受入手段によって受け入れた前記記憶媒体から読み出した有価価値特定情報によって有価価値を特定する有価価値特定手段と、
前記有価価値特定手段によって特定された前記有価価値の範囲内で遊技に供するための有価価値を減じる有価価値利用手段とを備える記憶媒体処理装置であって、
遊技客間で譲渡すべき譲渡有価価値を指定可能な譲渡有価価値入力手段を備え、
モード１：
前記記憶媒体受入手段が会員用記憶媒体を受け入れている際に、指示に基づいて該会員用記憶媒体を外部に排出し、前記記憶媒体貯留手段から非会員用記憶媒体を取り出して情報処理を行い、その後、前記非会員用記憶媒体を外部に排出する、前記会員用記憶媒体及び前記非会員用記憶媒体を処理するモード１の記憶媒体発行手段と、
前記非会員用記憶媒体に対し、前記譲渡有価価値が対応付けた状態とするモード１の有価価値譲渡手段と、
前記モード１の記憶媒体発行手段によって前記非会員用記憶媒体を外部に排出後、前記外部に排出した会員用記憶媒体を再び受け入れるモード１の記憶媒体再受入手段と、
前記モード１の記憶媒体再受入手段により前記会員用記憶媒体を再び受け入れた場合に、前記会員用記憶媒体に対し、前記会員用記憶媒体に対応する当初有価価値から前記譲渡有価価値を減じた残りの残有価価値が対応付けられた状態とするモード１の残有価価値対応付け手段とからなるモード１と、
モード２：
前記記憶媒体受入手段が会員用記憶媒体を受け入れている際に、指示に基づいて該会員用記憶媒体を外部に排出し、その後、新たに挿入された挿入記憶媒体を前記記憶媒体受入手段に受け入れ、その後、前記挿入記憶媒体の情報処理を行い、その後、前記挿入記憶媒体を外部に排出する、前記会員用記憶媒体及び前記挿入記憶媒体を処理するモード２の記憶媒体発行手段と、
前記モード２の記憶媒体発行手段によって前記挿入記憶媒体を外部に排出後、前記外部に排出した会員用記憶媒体を再び受け入れるモード２の会員用記憶媒体再受入手段と、
（１）前記挿入記憶媒体に対し、前記譲渡有価価値を対応付け、
前記会員用記憶媒体に対し、前記会員用記憶媒体に対応する当初有価価値から前記譲渡有価価値を減じた残りの残有価価値を対応付ける処理、
（２）前記会員用記憶媒体に対し、前記譲渡有価価値を対応付け、
前記挿入用記憶媒体に対し、前記挿入記憶媒体に対応する当初有価価値から前記譲渡有価価値を減じた残りの残有価価値を対応付ける処理、
の（１）または（２）の処理が可能なモード２の有価価値譲渡及び残有価価値対応付け手段とからなるモード２と、
モード３：
前記記憶媒体受入手段が第１の非会員用記憶媒体を受け入れている際に、指示に基づいて該第１の非会員用記憶媒体を外部に排出し、前記記憶媒体貯留手段から第２の非会員用記憶媒体を取り出して情報処理を行う、前記第１の非会員用記憶媒体と前記第２の非会員用記憶媒体を処理する記憶媒体発行手段と、
前記第１の非会員用記憶媒体に対し、前記譲渡有価価値が対応付けれた状態とする有価価値譲渡手段と、
前記第２の非会員用記憶媒体に対し、前記第１の非会員用記憶媒体に対応する当初有価価値から前記譲渡有価価値を減じた残りの残有価価値が対応付けられた状態とする残有価価値対応付け手段とからなるモード３と、
モード４：
前記記憶媒体受入手段が非会員用記憶媒体を受け入れている際に、指示に基づいて該非会員用記憶媒体を前記記憶媒体貯留手段に再発行可能に貯留し、外部から第２の非会員用記憶媒体を情報処理可能な位置に導いた後、第２の非会員用記憶媒体に係る情報処理を行い、その後、第２の非会員用記憶媒体を再び外部に排出し、前記第２の非会員用記憶媒体を外部に排出し、前記記憶媒体貯留手段に貯留した前記第１の非会員用記憶媒体を再び取り出す、前記第１の非会員用記憶媒体及び前記第２の非会員用記憶媒体を処理するモード４の記憶媒体発行手段と、
（３）前記第１の非会員用記憶媒体に対し、前記譲渡有価価値を対応付け、
前記第２の非会員用記憶媒体に対し、前記第２の非会員用記憶媒体に対応する当初有価価値から前記譲渡有価価値を減じた残りの残有価価値を対応付ける処理、
（４）前記第２の非会員用記憶媒体に対し、前記譲渡有価価値を対応付け、
前記第１の非会員用記憶媒体に対し、前記第１の非会員用記憶媒体に対応する当初有価価値から前記譲渡有価価値を減じた残りの残有価価値を対応付ける処理、
の（３）または（４）の処理が可能なモード４の有価価値譲渡及び残有価価値対応付け手段とからなるモード４と
の４つのモードのうち、少なくとも１つのモードを備え、
モード５：
会員用記憶媒体の発行希望を受け付ける会員用記憶媒体発行希望受付手段と、
前記記憶媒体受入手段が非会員用記憶媒体を受け入れている際に、前記発行希望に基づいて前記非会員用記憶媒体を前記記憶媒体貯留手段に貯留し、外部から未登録の記憶媒体を受け入れた場合に前記未登録記憶媒体に対し、前記記憶媒体貯留手段に貯留した非会員用記憶媒体に係る有価価値を対応付けて、前記未登録記憶媒体を前記会員用記憶媒体とさせる会員用記憶媒体発行手段とからなるモード５を備え、
前記記憶媒体は、カード形状記憶媒体であり、前記記憶媒体受入手段が前記カード形状記憶媒体を縦向きに受け入れ、前記記憶媒体貯留手段が、前記記憶媒体受入手段によって受け入れたカード形状記憶媒体を縦向きの状態で維持しつつ、前記カード形状記憶媒体の受入方向に対して略垂直かつ略水平方向に、前記カード形状記憶媒体を再発行可能に積層して貯留することを特徴とする記憶媒体処理装置。
【請求項２】
前記挿入記憶媒体が、非会員用記憶媒体またはモード２における前記会員用記憶媒体と異なる他の会員用記憶媒体であることを特徴とする請求項１記載の記憶媒体処理装置。
【請求項３】
前記対応付けとは、有価価値を前記記憶媒体に記憶されたＩＤ情報に基づいて外部の管理装置等の機器に記憶するか、または、有価価値を前記記憶媒体に記憶するものであることを特徴とする請求項１または２記載の記憶媒体処理装置。
【請求項４】
請求項１乃至３いずれか記載の記憶媒体処理装置を複数備え、該記憶媒体処理装置に処理する前記有価価値を記憶媒体に記憶されるＩＤ情報に基づいて管理する管理装置を備えたことを特徴とする有価価値管理システム。
【発明の詳細な説明】
【技術分野】
【０００１】
本発明は、パチンコ台、スロットマシーン、ゲーム機などの遊技機に使用されるパチンコ玉やメダルなどの遊技媒体を貸し出す際などに利用される記憶媒体の処理を行う記憶媒体処理装置及び有価価値管理システムに関する。
【背景技術】
【０００２】
従来から、景品交換装置に付属した景品交換カウンタに配置された会員カード発行装置の店員の所に行き、会員になりたい旨の申し出ることにより会員カード発行ができる会員カード発行装置が知られている（例えば、特許文献１参照）。会員カード発行に際し、非会員が計数した玉数をレシートまたは非会員カードに計数機で記憶させ、景品交換機に持参し、計数玉数の一部を景品交換に利用し、残りを会員カード発行するとともにその口座に貯玉することができた。
【０００３】
一方、カード受け入れ方向から水平方向に積層して再発行可能に貯留可能な一時貯留部を備え、かつ一時貯留部が満杯の場合下方に回収可能なカードリーダライタが知られている（例えば、特許文献２、３参照）。このカードリーダライタを搭載する台間機は、パチンコ遊技機に隣接して配置され、パチンコホールの営業フロア面積に対し、所定数の遊技機を設置可能な島設備の寸法により、４ｃｍの横幅に制限される。即ち４ｃｍより横幅の大きい台間機は、パチンコホールにおいて遊技機の設置台数が減り、かつ規定の大きさの島設備に配置できなくなる等の理由により設置することができない。このため、カードリーダライタでは、４ｃｍ幅の制限上、カードを１枚のみ縦状態で受け入れ、カードリーダライタのカード搬送路上には１枚のみを挿入受け入れが可能な構造になっている。
【先行技術文献】
【特許文献】
【０００４】
【特許文献１】特開平０８−３３６６５７号公報
【特許文献２】特開２００７−０４４５４２号公報
【特許文献３】特許第４０８０５２４号公報
【発明の概要】
【発明が解決しようとする課題】
【０００５】
しかしながら、従来の４ｃｍ幅の台間機に搭載するカードリーダライタにあっては、カードの厚み、カードを搬送するベルト等の構造を考慮すると２枚のカードを同時に受け入れるスペースがない。即ち、カードを２枚積層した状態で、一方のカードを機体内にとどめ、他方のカードを受け入れたり、排出したりするには、搬送用のベルトが２つ必要となるが、２つの搬送ベルトとこの搬送ベルトの駆動機構を４ｃｍ幅に収容することは困難である。また無理に、受け入れ方向の左右に配置の搬送ベルトを設けたとしても、湿気などで２枚のカードが密着すれば、一方のカードを内部に留め、他方のカードを外部に排出することはできないので、２枚のカード面の間に胸壁が必要となり、ますますカードリーダライタの横幅を増大させなければならず、従ってそのようなことはできないという問題がある。
【０００６】
また一方、遊技中に大当りを得ると客としては、そのパチンコホールに次回も来店したくなるもので、この時、店員が来て容易に会員カードを発行可能な台間機が望まれていた。また客の家族や友人に、獲得した計数値や、度数等の有価価値を、現在遊技中のカードとは別のカードで、分け与えたり、もらったりしたいという要望もある。
【０００７】
ここで問題になるのは、遊技中、遊技に利用していた搬送路上に１枚のみ存在可能なカードを、いかに取り除き、会員カード発行や、有価価値の分割または譲渡を行うかということである。しかも、会員カードが非会員カードより大きい場合、会員カードを一時貯留部に取り込むことができないので、会員カードによる遊技中と、非会員カードによる遊技中では、搬送路上１枚のみ存在可能なカードを、どのように動かすか等、複雑な問題が生じる。
【０００８】
本発明は、このような事情に鑑みてなされたもので、縦状態に受け入れたカードを、搬送路上に１枚のみ受け入れ可能であり、その搬送路には、再発行可能な一時貯留部を備える場合に、遊技中のカードの有価価値の一部または全部を他のカードに引き継いで発行可能にするとともに、遊技を継続可能にする記憶媒体処理装置及び有価価値管理システムを提供することを目的とする。
【課題を解決するための手段】
【０００９】
本発明の記憶媒体処理装置は、記憶媒体を外部に発行するために貯留しておく記憶媒体貯留手段と、記憶媒体を受け入れる記憶媒体受入手段と、前記記憶媒体受入手段によって受け入れた前記記憶媒体から読み出した有価価値特定情報によって有価価値を特定する有価価値特定手段と、（有価価値としては、入金額に対応して付与される度数有価価値、遊技媒体を計数した計数有価価値等が例示できる）前記有価価値特定手段によって特定された前記有価価値の範囲内で遊技に供するための有価価値を減じる有価価値利用手段（遊技に供するための有価価値を減じる場面としては、パチンコ玉、またはメダルを減じた有価価値に相当する量を払い出す場面、有価価値を減じた結果所定のゲームを実施させたり、実施可能にする場面等が例示できる）とを備える記憶媒体処理装置であって、遊技客間で譲渡すべき譲渡有価価値を指定可能な譲渡有価価値入力手段（譲渡有価価値は当初有価価値の範囲で認めるようにしてもよい。また当初有価価値から遊技の継続によって減算された残有価価値＜譲渡有価価値になっては譲渡不能になるので、譲渡有価価値に対応した記憶媒体が発行される迄、減算禁止にしてもよい。）を備え、
【００１０】
モード１：
前記記憶媒体受入手段が会員用記憶媒体を受け入れている際に、指示に基づいて該会員用記憶媒体を外部に排出し、前記記憶媒体貯留手段から非会員用記憶媒体を取り出して情報処理（情報処理とは情報のリードｏｒ／ａｎｄライト）を行い、その後、前記非会員用記憶媒体を外部に排出する、前記会員用記憶媒体及び前記非会員用記憶媒体を処理するモード１の記憶媒体発行手段と、（指示とは、譲渡有価価値入力手段の入力に基づく指示の他、カード返却ボタンの押圧に基づく指示等が例示できる。このカード返却ボタンの押圧に基づく指示の場合、譲渡有価価値入力手段の入力に基づき、カード返却ボタンの押圧を促す表示を行うようにしてもよい。）（会員用記憶媒体の外部への排出と非会員用記憶媒体の貯蔵手段からの取り出しは、同時に行ってもよいし、順次におこなってもよい）（会員用記憶媒体の排出時に当初有価価値または残有価価値と対応付けてもよいし、対応つけなくてもよい。他の機器＜精算機、景品交換ＰＯＳ、他の台の台間機等＞で有価価値を使えないようにしてもよい）（情報処理としては、ＩＤリード及びＩＤに対応した有価価値の管理装置への記憶、ＩＤライト、有価価値の書き込み等が例示でき、情報処理のタイミングは、リーダライタ部が記憶媒体貯蔵手段の側壁に設けられている場合、記憶媒体貯蔵手段内から第２の記憶媒体を取り出す直前（複数枚のＲＦＩＤカードが貯蔵され、アンチコリジョンを利用するが、情報処理回数が増えるとカードの寿命が短くなるので好ましくない）でも可能であり、記憶媒体貯蔵手段から取り出して導いたリーダライタ部で行うようにしてもよい。）
【００１１】
前記非会員用記憶媒体に対し、前記譲渡有価価値が対応付けた状態とするモード１の有価価値譲渡手段と、前記モード１の記憶媒体発行手段によって前記非会員用記憶媒体を外部に排出後、前記外部に排出した会員用記憶媒体を再び受け入れるモード１の記憶媒体再受入手段と、前記モード１の記憶媒体再受入手段により前記会員用記憶媒体を再び受け入れた場合に、前記会員用記憶媒体に対し、前記会員用記憶媒体に対応する当初有価価値から前記譲渡有価価値を減じた残りの残有価価値が対応付けられた状態とするモード１の残有価価値対応付け手段と、をモード１として備え、（非会員用記憶媒体と譲渡有価価値との対応付けは、非会員用記憶媒体の外部への排出の以前に行うようにしてもよいし、台間機に譲渡指示があった直後（会員用記憶媒体がまだ記憶媒体受入手段が受け入れ中）や第会員用記憶媒体排出後の所定のタイミング（例えば定時送信）で、非会員用記憶媒体のＩＤと有価価値を管理装置に送信し、管理装置にてＩＤに基づき有価価値を記憶するようにして対応付けを行ってもよい）、（会員用記憶媒体と残有価価値との対応付けは、会員用記憶媒体を外部に排出する前の台間機に譲渡指示があった直後（会員用記憶媒体をまだ記憶媒体受入手段が受け入れ中）、記憶媒体再受入手段で再び受けれた後、その後の所定のタイミング（例えば定時送信）で、会員用記憶媒体のＩＤと有価価値を管理装置に送信し、管理装置にてＩＤに基づき有価価値を記憶するようにして対応付けを行ってもよい）（想定されるオーソドックスな利用方法としては、譲渡有価価値入力手段→会員用記憶媒体の外部への排出→非会員用記憶媒体の記憶媒体貯蔵手段からの取り出しと情報処理可能な位置への導き→非会員用記憶媒体への譲渡有価価値の対応付け→非会員用記憶媒体の外部の排出→会員用記憶媒体の再受け入れが考えられるが、この他に例えば、会員用記憶媒体の外部への排出→非会員用記憶媒体の記憶媒体貯蔵手段からの取り出しと情報処理可能な位置への導き→非会員用記憶媒体の外部の排出→非会員用記憶媒体への譲渡有価価値の対応付け（管理装置と記憶媒体処理装置間）としても成立可能である。従って夫々手段の実行順番は任意選択事項である。）
【００１２】
モード２：
前記記憶媒体受入手段が会員用記憶媒体を受け入れている際に、指示に基づいて該会員用記憶媒体を外部に排出し、その後、新たに挿入された挿入記憶媒体を前記記憶媒体受入手段に受け入れ、その後、前記挿入記憶媒体の情報処理（情報処理とは情報のリードｏｒ／ａｎｄライト）を行い、その後、前記挿入記憶媒体を外部に排出する、前記会員用記憶媒体及び前記挿入記憶媒体を処理するモード２の記憶媒体発行手段と、前記モード２の記憶媒体発行手段によって前記挿入記憶媒体を外部に排出後、前記外部に排出した会員用記憶媒体を再び受け入れるモード２の会員用記憶媒体再受入手段と、
【００１３】
（１）      前記挿入記憶媒体に対し、前記譲渡有価価値を対応付け、
前記会員用記憶媒体に対し、前記会員用記憶媒体に対応する当初有価価値から前記譲渡有価価値を減じた残りの残有価価値を対応付ける処理、
（２）      前記会員用記憶媒体に対し、前記譲渡有価価値を対応付け、
前記挿入用記憶媒体に対し、前記挿入記憶媒体に対応する当初有価価値から前記譲渡有価価値を減じた残りの残有価価値を対応付ける処理、
の（１）または（２）の処理が可能なモード２の有価価値譲渡及び残有価価値対応付け手段と、をモード２として備え、
【００１４】
モード３：
前記記憶媒体受入手段が第１の非会員用記憶媒体を受け入れている際に、指示に基づいて該第１の非会員用記憶媒体を外部に排出し、前記記憶媒体貯留手段から第２の非会員用記憶媒体を取り出して情報処理（情報処理とは情報のリードｏｒ／ａｎｄライト）を行う、前記第１の非会員用記憶媒体と前記第２の非会員用記憶媒体を処理する記憶媒体発行手段と、前記第１の非会員用記憶媒体に対し、前記譲渡有価価値が対応付けれた状態とする有価価値譲渡手段と、前記第２の非会員用記憶媒体に対し、前記第１の非会員用記憶媒体に対応する当初有価価値から前記譲渡有価価値を減じた残りの残有価価値が対応付けられた状態とする残有価価値対応付け手段と、をモード３として備え、
【００１５】
モード４：
前記記憶媒体受入手段が非会員用記憶媒体を受け入れている際に、指示に基づいて該非会員用記憶媒体を前記記憶媒体貯留手段に再発行可能に貯留し、外部から第２の非会員用記憶媒体を情報処理可能な位置に導いた後、第２の非会員用記憶媒体に係る情報処理（情報処理とは情報のリードｏｒ／ａｎｄライト）を行い、その後、第２の非会員用記憶媒体を再び外部に排出し、前記第２の非会員用記憶媒体を外部に排出し、前記記憶媒体貯留手段に貯留した前記第１の非会員用記憶媒体を再び取り出す、前記第１の非会員用記憶媒体及び前記第２の非会員用記憶媒体を処理するモード４の記憶媒体発行手段と、
【００１６】
（３）      前記第１の非会員用記憶媒体に対し、前記譲渡有価価値を対応付け、
前記第２の非会員用記憶媒体に対し、前記第２の非会員用記憶媒体に対応する当初有価価値から前記譲渡有価価値を減じた残りの残有価価値を対応付ける処理、
（４）      前記第２の非会員用記憶媒体に対し、前記譲渡有価価値を対応付け、
前記第１の非会員用記憶媒体に対し、前記第１の非会員用記憶媒体に対応する当初有価価値から前記譲渡有価価値を減じた残りの残有価価値を対応付ける処理、
の（３）または（４）の処理が可能なモード４の有価価値譲渡及び残有価価値対応付け手段と、をモード４として備え、
モード５：
会員用記憶媒体の発行希望を受け付ける会員用記憶媒体発行希望受付手段と、
前記記憶媒体受入手段が非会員用記憶媒体を受け入れている際に、前記発行希望に基づいて前記非会員用記憶媒体を前記記憶媒体貯留手段に貯留し、外部から未登録の記憶媒体を受け入れた場合に前記未登録記憶媒体に対し、前記記憶媒体貯留手段に貯留した非会員用記憶媒体に係る有価価値を対応付けて、前記未登録記憶媒体を前記会員用記憶媒体とさせる会員用記憶媒体発行手段（未登録記憶媒体としては、例えば情報がまったく記憶されていない所謂白カード、工場出荷時のＩＤ情報のみ記憶されているカード、過去利用され一時利用がなくなったような過去のデータが記憶されているが現在管理装置または当該カードに利用禁止フラグが記憶されている状態のカード等が例示できる。）、（有価価値の対応付けとしては、外部から未登録の記憶媒体を受け入れて情報処理（リード又は／及びライト）可能な位置で、ＩＤを読み取りまたは新ＩＤを書き込み後、管理装置へＩＤ情報Ａと貯留した非会員用記憶媒体の有価価値Ａを送信して管理装置にＩＤ情報Ａに基づき有価価値Ａを記憶したり、または/及び、有価価値Ａを未登録の記憶媒体に書き込む処理が例示できるが、管理装置へＩＤ情報Ａと貯留した非会員用記憶媒体の有価価値Ａを送信して管理装置にＩＤ情報Ａに基づき有価価値Ａを記憶させることは、後程、会員カードを返却する際に行ってもよいし、その返却後または返却前であっても定時送信等で行ってもよい。）と、をモード５として備えることを特徴とする。
【００１７】
また本発明の記憶媒体処理装置は、上記構成に加え、前記挿入記憶媒体が、非会員用記憶媒体またはモード２における前記会員用記憶媒体と異なる他の会員用記憶媒体であることを特徴とする。
【００１８】
また本発明の記憶媒体処理装置は、上記構成に加え、前記記憶媒体は、カード形状記憶媒体であり、前記記憶媒体受入手段が前記カード形状記憶媒体を縦向きに受け入れ、前記記憶媒体貯留手段が、前記記憶媒体受入手段によって受け入れたカード形状記憶媒体を縦向きの状態で維持しつつ、前記カード形状記憶媒体の受入方向に対して略垂直かつ略水平方向に、前記カード形状記憶媒体を再発行可能に積層して貯留することを特徴とする。これにより、４ｃｍ幅の台間機にこの発明を適用できる。
【００１９】
また本発明の記憶媒体処理装置は、上記構成に加え、前記対応付けとは、有価価値を前記記憶媒体に記憶されたＩＤ情報に基づいて外部の管理装置等の機器に記憶するか、または、有価価値を前記記憶媒体に記憶するものであることを特徴とする。
【００２０】
また本発明の記憶媒体処理装置は、上記構成に加え、請求項１乃至３いずれか記載の記憶媒体処理装置を複数備え、該記憶媒体処理装置に処理する前記有価価値を記憶媒体に記憶されるＩＤ情報に基づいて管理する管理装置を備えたことを特徴とする。
【００２１】
上記構成を必要に応じて選択して組み合わせた記憶媒体処理装置としてもよい。
【発明の効果】
【００２２】
本発明によれば、縦状態に受け入れたカードを、搬送路上に１枚のみ受け入れ可能であり、その搬送路には、再発行可能な一時貯留部を備える場合に、遊技中のカードの有価価値の一部または全部を他のカードに引き継いで発行可能にするとともに、遊技を継続可能にすることができるという効果が得られる。
【図面の簡単な説明】
【００２３】
【図１】本発明の一実施の形態の記憶媒体処理システム全体の構成を示す図である。
【図２】会員用ＩＣカードおよび非会員用ＩＣカードの斜視図である。
【図３】発券機の外観を示す側面図である。
【図４】発券機の構成部を示す図である。
【図５】発券機における動作の流れを示す図である。
【図６】台間機の平面図である。
【図７】台間機（ユニット）の一例を示す平面図である。
【図８】カード処理機の斜視図である。
【図９】図８のカード処理機のＡ−Ａ断面図である。
【図１０】図８のカード処理機のＢ−Ｂ断面図である。
【図１１】会員用ＩＣカードまたは非会員用ＩＣカードの搬送動作を示す図８のＡ−Ａ断面図である。
【図１２】会員用ＩＣカードまたは非会員用ＩＣカードの搬送動作を示す図８のＡ−Ａ断面図である。
【図１３】会員用ＩＣカードまたは非会員用ＩＣカードの搬送動作を示す図８のＡ−Ａ断面図である。
【図１４】会員用ＩＣカードまたは非会員用ＩＣカードの搬送動作を示す図８のＡ−Ａ断面図である。
【図１５】会員用ＩＣカードまたは非会員用ＩＣカードの搬送動作を示す図８のＡ−Ａ断面図である。
【図１６】会員用ＩＣカードまたは非会員用ＩＣカードの搬送動作を示す図８のＡ−Ａ断面図である。
【図１７】会員用ＩＣカードまたは非会員用ＩＣカードの搬送動作を示す図８のＡ−Ａ断面図である。
【図１８】台間機の処理部を示す図である。
【図１９】台間機における基本動作の流れを示す図である。
【図２０】管理装置の構成部を示す図である。
【図２１】管理装置における動作の流れを示す図である。
【図２２】図１８に示す台間機の処理動作の流れを示す図である。
【図２３】図２２に示す貯留カードへの持玉分割処理動作の流れを示す図である。
【図２４】図２３に示す貯留カードへの持玉分割処理動作を示す説明図である。
【図２５】図２３に示す貯留カードへの持玉分割処理動作を示す説明図である。
【図２６】図２２に示す受け入れカードへの持玉分割処理動作の流れを示す図である。
【図２７】図２２に示す受け入れカードへの持玉分割処理動作の流れを示す図である。
【図２８】図２６に示す受け入れカードへの持玉分割処理動作を示す説明図である。
【図２９】図２６に示す受け入れカードへの持玉分割処理動作を示す説明図である。
【図３０】図２２に示すグループ登録処理動作の流れを示す図である。
【図３１】図３０に示すグループ登録処理動作を示す説明図である。
【図３２】図２２に示す会員カード発行処理動作の流れを示す図である。
【図３３】図３２に示す会員カード発行処理動作を示す説明図である。
【図３４】持玉分割処理を示す説明図である。
【発明を実施するための形態】
【００２４】
以下、図面を参照して、本発明の一実施形態による記憶媒体処理装置及び有価価値管理システムを説明する。図１は同実施形態における記憶媒体処理装置及び有価価値管理システムを含む記憶媒体処理システム１全体の構成を示す図である。また、図２（ａ）に会員の遊技者が使用するカード形状記憶媒体である会員用ＩＣカード３０の斜視図、図２（ｂ）に非会員の遊技者が使用するカード形状記憶媒体である非会員用ＩＣカード３１の斜視図を示す。
【００２５】
ここで、会員の遊技者とは、住所、氏名、年齢、性別、好きな台、連絡先、暗証番号などの属性情報が会員の遊技者を互いに識別するＩＤに基づいて管理装置に登録され、会員用ＩＣカード３０を有する遊技者をいう。また、非会員の遊技者とは、会員登録されていない一般の遊技者をいう。
【００２６】
この一実施形態の記憶媒体処理システム１では、複数のパチンコ機２および複数のパチンコ機２のそれぞれに接続された台間機３、４、複数のスロットマシン機５およびスロットマシン機５間に接続された台間機６が島コンピュータ７を介してネットワーク８に接続されている。また、ネットワーク８には、計数機９、精算機１０、景品管理機（ＰＯＳ）１１、再プレー受付機１２、発券機２０、データ表示機２１、データ公開機２２なども接続されている。また、パチンコ機２、スロットマシン機５には、夫々パチンコ玉、メダルを計数する各台計数機（図示しない）を備え、台間機３、４、６においては、計数したパチンコ玉、メダルは、内蔵される近接センサー（金属の近接を検知するもの）によって検知されてその数量合計をカウントし、記憶部に有価価値の１つである計数値として記憶される（例えば特願２００８−０２６９２８、特願２００８−１８９１８９）。
【００２７】
なお、近接センサは、上流から下流にかけて２個並べて配置され、近接センサ処理回路は、上流から下流に流下する場合に＋１カウントアップし、下流から上流に逆流する場合に＋１をカウントダウンする。また近接センサ処理回路は、近接センサの波形は正弦波状であるが、正弦波が所定値を超えた場合にＯＮとなるコンパレータにローパスフィルタを加えて構成され、１の正弦波に対し、確実に１クロックの矩形波に変換し、変換後の矩形波をカウントアップするカウンタが備えられた電子回路によって構成される。
【００２８】
これらの機器からの情報は、ネットワーク８を介して管理装置１３に出力され、さらに、プロトコルコンバータ１４、モデム１５を介してカードセンタ１６に送信される。また、管理装置１３は、例えば、パーソナルコンピュータ１７などとも接続されている。また、管理装置１３からの情報は、ネットワーク８を介して各機器に出力される。
【００２９】
以下に、本発明の一実施の形態の記憶媒体処理システム１を構成する記憶媒体や各機器のそれぞれについて説明する。
【００３０】
＜会員用ＩＣカード３０および非会員用ＩＣカード３１＞
次に、図２に示された（ａ）会員用ＩＣカード３０および（ｂ）非会員用ＩＣカード３１について説明する。会員用ＩＣカード３０および非会員用ＩＣカード３１は、従来から遊技システムで使用されていたＩＣチップを有する記憶媒体であり、カード形状を有している。非会員用ＩＣカード３１は、会員用ＩＣカード３０よりもカードの縦および横の長さが短く、さらに、厚さが薄く構成されている。
【００３１】
これらの会員用ＩＣカード３０や非会員用ＩＣカード３１は、ＩＣチップと、そのＩＣチップを取り巻くアンテナ部とを有する非接触型の記憶媒体であり、アンテナ部を介してＩＣチップに情報の読み書きをすることができる。会員用ＩＣカード３０または非会員用ＩＣカード３１を用いた管理システムにおいては、それぞれについて、次に示した管理システムの内のいずれか１つを採用することができる。
【００３２】
会員用ＩＣカード３０は、（１）ＩＤだけの記録情報を有し、その他の情報は管理装置１３において管理されるシステム、または、（２）ＩＤ以外に度数などの有価情報などの情報を有し、さらに、その情報は管理装置１３においても管理されるシステムを採用することができる。
【００３３】
ここで、会員用ＩＣカード３０を用いた場合の情報とは、ＩＤ、度数、貸玉、アウト（発射玉）、セーフ（遊技機への供給玉、つまり遊技の上皿への供給玉：遊技者の獲得玉）、勝敗（セーフからアウトを減じたもの）、入金、追加入金、貸玉数、貯玉数、再プレー用貯玉数、再プレー用貯メダル数、再プレー手数料、ポイント、遊技台種別などの情報、これらの情報を履歴情報、日毎情報、週毎情報とした情報、住所、氏名、年齢、性別、好きな台、連絡先、暗証番号などの会員情報などをいう。また、これらに限るものではなく、遊技管理を行う上で必要な情報であれば管理することができる。さらに、これらの情報は、会員用ＩＣカード３０を用いた場合の会員として処理される情報である。
【００３４】
また、上記ポイントには、来店ポイント（台間機に会員用ＩＣカードを差し込むと付与されるポイント）、貸玉ポイント（貸し玉数に応じて付与されるポイント）、勝敗ポイント（アウト数からセーフ数の差に応じて、負けた客に付与されるポイント）、稼動ポイント（アウト数に応じて付与されるポイント）などがある。また、会員用ＩＣカード３０を用いた場合の管理装置１３によって管理される情報は、これらに限るものではなく、遊技管理を行う上で必要な情報であれば管理することができる。
【００３５】
非会員用ＩＣカード３１は、（３）ＩＤだけの記録情報を有し、その他の情報は管理装置１３において管理されるシステム、（４）度数などの有価情報などの情報を有し、管理装置１３においてはその情報を管理しないシステム、（５）ＩＤ以外に度数などの有価情報などの情報を有し、さらに、その情報は管理装置１３においても管理されるシステムを採用することができる。（４）は、管理装置１３において情報の管理をする必要がある会員用ＩＣカード３０には採用されない。
【００３６】
ここで、非会員用ＩＣカード３１を用いた場合の情報とは、度数、貸玉、入金、追加入金、貸玉数などの情報、これらの情報を所定の期間に限って管理する情報などをいう。これらの情報は、非会員用ＩＣカード３１を用いた場合の非会員として処理される情報である。また、これらの情報には、アウト（発射玉）、セーフ（遊技機への供給玉、つまり遊技の上皿への供給玉：遊技者の獲得玉）、勝敗（セーフからアウトを減じたもの）、貯玉数、再プレー用貯玉数、再プレー手数料、ポイント、遊技台種別などが含まれない点で会員用ＩＣカード３０を用いた場合の会員として処理される情報と異なる。また、非会員用ＩＣカード３１を用いた場合の管理装置１３によって管理されている情報は、これらに限るものではなく、遊技管理を行う上で必要な情報であれば管理することができる。
【００３７】
ここで、記憶媒体処理システム１において処理する有価価値情報を説明する。有価価値情報としては、各種ポイント情報、入金額に対応し、１００円１度数の単位で管理され、貸玉、貸メダルに伴う遊技媒体（玉、メダル）の放出数に応じて減算される度数有価価値情報、各台計数機（図示しない）または遊技機２、または５が列設された区画の１の単位とする島の端に設置される計数機９によって計数された計数値であって遊技媒体で再放出する際に通常手数料分の減算なしに再放出量のみに応じた量を減算される持数有価価値情報、各台計数機で計数した遊技台から他の遊技台に移動する際に非会員用ＩＣカード３１または会員用ＩＣカード３０を他の台間機３、４、６に挿入するか、または／及び翌日になった場合に持数有価価値情報が変換される貯数有価価値情報、貯数有価価値情報の内１０,０００円１００度数を限度に貯数有価価値情報を変換した再プレー可能な再プレー用有価価値情報（上記再放出する際に通常手数料分を再放出量に応じた減算分に上乗せして減算する）、上記ポイント情報等が例示できる。これらの有価価値情報は、会員用ＩＣカード３０、非会員用ＩＣカード３１に記憶されるとともに、同じく記憶されるＩＤ情報に基づいて特定可能に管理装置１３の記憶部に記憶される。なお、上記持数有価価値情報、貯数有価価値情報、再プレー用有価価値情報は景品交換に用いることができる為、景品交換用有価価値と呼ぶことにし、度数有価価値は、入金に対応して付与され、遊技による遊技媒体の貸出量に対応して減算され、残数を精算機１０で返金可能であり、景品交換に持ちることのできないものとする。
【００３８】
そして、記憶媒体処理システム１における精算機１０に挿入された記憶媒体（３０、３１）の情報に基づき特定される度数有価価値情報分を現金として返金可能であり、記憶媒体処理システム１における景品管理機（ＰＯＳ）１１においては、受け付けた記憶媒体（３０、３１）の情報に基づき特定される持数有価価値情報と貯数有価価値情報の合算値の範囲内で景品交換することができる。また持数有価価値情報としては、計数したパチンコ玉数である持玉数、計数したメダル数である持メダル数、貯数有価価値情報としては、パチンコ玉数である貯玉数、メダル数である貯メダル数を例示できる。
【００３９】
＜発券機２０＞
図３は、発券機２０の外観を示す側面図、図４は発券機２０の構成部を示す図、図５は発券機２０における動作の流れを示す図である。まず、図３を参照して、発券機２０の構成について説明する。図３には、発券機２０を側面から見た図が示されており、カード挿入口２０ａ、紙幣挿入口２０ｂ、購入度数ボタン２０ｃで主に構成されている。
【００４０】
発券機２０は、紙幣挿入口２０ｂから挿入された紙幣額に対して購入度数ボタン２０ｃで選択された金額に対応する度数を、会員用ＩＣカード３０に更新したり、会員用ＩＣカード３０が用いられない場合には、その金額に対応する度数が記録された非会員用ＩＣカード３１の発行を行うものである。
【００４１】
ここで、度数とは、入金された金額を度数化したもので、例えば、１万円を度数化すると１００度数となる。また、発券機２０では、会員用ＩＣカード３０を利用する場合に、来店ポイントが付与される。付与された来店ポイントは、管理装置１３において、会員用ＩＣカード３０のＩＤに基づいて管理されているポイント数に加算される。
【００４２】
図４に示すように、発券機２０は、制御部１００、カード処理部１０１、非会員用カード発行部１０２、選択ボタン検知部１０３、貨幣識別部１０４から構成されている。制御部１００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部１００では、カード処理部１０１、非会員用カード発行部１０２、選択ボタン検知部１０３、貨幣識別部１０４の各機部間の信号の出入力、および、ネットワーク８を介して管理装置１３との間の信号の出入力を制御している。
【００４３】
カード処理部１０１は、会員カード処理部として機能し、カード挿入口２０ａから挿入された会員用ＩＣカード３０に記憶された、例えば、ＩＤやそのＩＤで管理されている有価情報などの読み取り、その読み取った情報の制御部１００への出力、制御部１００からの更新された有価情報などの会員用ＩＣカード３０への書き込みなどを行うもので、例えば、リーダライタなどで構成される。非会員用カード発行部１０２は、非会員カード処理部として機能し、紙幣挿入口２０ｂから挿入された紙幣額に対して購入度数ボタン２０ｃで選択された金額に対応する度数を非会員用ＩＣカード３１に記録し、さらにＩＤを付与して発行を行うもので、例えば、リーダライタなどで構成される。
【００４４】
選択ボタン検知部１０３は、購入度数ボタン２０ｃ、取消／釣りボタン２０ｄが押されたこ貨幣識別部１０４は、紙幣挿入口２０ｂから挿入される４種類の紙幣を識別し、識別した紙幣の情報を制御部１００に出力するものである。また、制御部１００からの情報に基づいて、紙幣返却口２０ｆから紙幣を返却する。そして、制御部１００によって制御される、カード処理部１０１、非会員用カード発行部１０２、選択ボタン検知部１０３、貨幣識別部１０４の各機器部は、次のように動作する（図５）。
【００４５】
次に、図５を参照してその動作を説明する。貨幣識別部１０４は、紙幣が入金された否かを判定する（ステップＳ１１０）。ステップＳ１１０の判定でＮｏの場合には、繰り返しステップＳ１１０の判定を行う。ステップＳ１１０の判定でＹｅｓの場合には、貨幣識別部１０４は、入金された紙幣の識別を行い、その識別情報を制御部１００に出力する（ステップＳ１１１）。また、貨幣識別部１０４で識別された紙幣は、発券機２０内の紙幣回収部に回収される（ステップＳ１１１）。
【００４６】
購入度数ボタン２０ｃで希望のボタンが押されたが否かを選択ボタン検知部１０３が判定する（ステップＳ１１２）。ステップＳ１１２の判定で、ＯＦＦのままの場合には、制御部１００は待機状態となり、例えば、この状態で取消／釣りボタン２０ｄが押されたことがステップＳ１２３で判定されると、入金された紙幣は紙幣返却口２０ｆから返却される（ステップＳ１２４）。
【００４７】
ステップＳ１１２の判定で、希望の金額の購入度数ボタン２０ｃが押されたことが選択ボタン検知部１０３で判定された場合には、例えば、購入度数ボタン２０ｃが連続して押されていても同じ動作を繰り返さないようにするために、購入度数ボタン２０ｃのＯＮ履歴がクリアされる（ステップＳ１１３）。そして、選択された購入度数ボタン２０ｃの情報は、制御部１００に出力される。
【００４８】
次に、制御部１００は、貨幣識別部１０４で識別された紙幣の金額と選択ボタン検知部１０３から出力された選択された購入度数ボタン２０ｃの金額の情報に基づいて、比較判定を行う（ステップＳ１１４）。
【００４９】
ステップＳ１１４の判定で、識別された紙幣の金額が購入度数ボタン２０ｃの金額より小さい場合（Ｎｏの場合）には、制御部１００は待機状態となり、例えば、この状態で取消／釣りボタン２０ｄが押されたことがステップＳ１２３で判定されると、入金された紙幣は紙幣返却口２０ｆから返却される（ステップＳ１２４）。
【００５０】
一方、ステップＳ１１４の判定で、識別された紙幣の金額が購入度数ボタン２０ｃの金額以上の場合（Ｙｅｓの場合）には、カード処理部１０１は、会員用ＩＣカード３０が挿入されているか否かを判定する（ステップＳ１１５）。
【００５１】
ステップＳ１１５の判定で、Ｙｅｓの場合、カード処理部１０１は、会員用ＩＣカード３０に記憶されたＩＤを読み取り、読み取ったＩＤを制御部１００に出力する（ステップＳ１１６）。さらに制御部１００は、そのＩＤ、貨幣識別部１０４で識別された紙幣の金額、選択された購入度数ボタン２０ｃの金額をネットワーク８を介して管理装置１３に送信する（ステップＳ１１６）。また、会員用ＩＣカード３０を利用の場合に付与される来店ポイントが付与され、付与された来店ポイントは、管理装置１３において、会員用ＩＣカード３０のＩＤに基づいて管理されているポイント数に加算される（ステップＳ１１６）。管理装置１３は、読み取られたＩＤの度数残高に、購入した度数を追加し、その更新された情報をネットワーク８を介して制御部１００に出力する（ステップＳ１１６）。
【００５２】
そして、制御部１００は、その情報をカード処理部１０１に出力し、カード処理部１０１は、その情報を表示部２０ｅに出力し、表示部２０ｅは、例えば、度数残高などを表示する（ステップＳ１１７）。会員用ＩＣカード３０は、カード処理部１０１によってカード挿入口２０ａから返却（カード挿入口２０ａへ返送）される。（ステップＳ１１８）。
一方、ステップＳ１１５の判定で、Ｎｏの場合、非会員用カード発行部１０２は、貯留された非会員用ＩＣカード３１にＩＤを付与し、その情報を制御部１００に出力する（ステップＳ１１９）。
【００５３】
制御部１００は、そのＩＤ情報、貨幣識別部１０４で識別された紙幣の金額、選択された購入度数ボタン２０ｃの金額をネットワーク８を介して管理装置１３に送信する（ステップＳ１２０）。また、非会員用カード発行部１０２は、付与されたＩＤを非会員用ＩＣカード３１に記録し、その非会員用ＩＣカード３１を、例えば、カード挿入口２０ａから発行する（ステップＳ１２１）。
【００５４】
ここで、制御部１００において、貨幣識別部１０４で識別された紙幣の金額から選択された購入度数ボタン２０ｃの金額が減じ、残金額に対応する情報を表示部２０ｅに出力する（ステップＳ１２２）。そして、制御部１００から出力された残金額に対応する情報に基づいて、表示部２０ｅでは、その残金額を表示する（ステップＳ１２２）。
【００５５】
ここで、ステップＳ１２３において、選択ボタン検知部１０３のよって取消／釣りボタン２０ｄが押されたことが判定（Ｙｅｓの場合）されると、その情報を制御部１００に出力する。制御部１００は、貨幣識別部１０４に残金を返却するための情報を出力する。そして、貨幣識別部１０４は、その情報に基づいて、残金を紙幣返却口２０ｆから返却する（ステップＳ１２４）。一方、ステップＳ１２３の判定がＮｏの場合、制御部１００は待機状態となる。
【００５６】
＜再プレー受付機１２＞
再プレー受付機１２は、会員用ＩＣカード３０を受け付け可能であり、非会員用ＩＣカード３１は受け付けできない。再プレー受付機１２は、会員用ＩＣカード３０に記憶されたＩＤと共に、管理装置１３の再プレーＦＬＧ、貯玉数および再プレー用貯玉数の情報を書き換えるための要求信号を、ネットワーク８を介して管理装置１３に送信し、当該要求信号とＩＤを受けた管理装置１３では、貯数有価価値情報を減算して、減算分を再プレー可能な再プレー用有価価値として１０、０００円１００度数を限度にＩＤに基づき記憶部に登録することで再プレーを行える状態にするものである。なお、パチンコホールによっては、再プレー受付機１２を設けず、台間機３、４、６で再プレー用有価価値を登録する場合もある。
【００５７】
再プレーＦＬＧは、管理装置１３に書き込まれている情報で、再プレーを可能にしたり、不可能にしたりするものであり、例えば、１が書き込まれていれば再プレー可能、０が書き込まれていれば再プレー不可能になる。ここで、再プレーとは、計数機９において計数され貯玉された貯玉数のうち所定の金額（例えば１万円）に相当する玉数を再プレー用貯玉数とし、その再プレー用貯玉数分の貸玉の貸し出しによって、遊技をすることをいう。また、再プレー受付機１２では、会員用ＩＣカード３０の利用によって付与されるポイントを、例えば、再プレー用貯玉数に還元することもできる。
【００５８】
＜台間機３、４、６＞
次に、記憶媒体処理装置として機能する台間機３、４、６について、図６に示す台間機３、４、６の平面図および図１を参照して説明する。図６には、３種類の台間機３、４、６を正面から見た図が示されており、（ａ）の台間機３（ユニット）および（ｂ）の台間機４（サンド）はパチンコ用であり、（ｃ）の台間機６（台間メダル貸し機）はスロットマシン用である。
【００５９】
台間機３（ユニット）は、パチンコ機２と情報通信ができるので、パチンコ機２の貸玉ボタンが押されると、パチンコ機２内部からパチンコ機２の上皿へ直接パチンコ玉を供給することができる。一方、台間機４（サンド）は、パチンコ機２と情報通信ができないので、パチンコ玉は、サンドのノズルよりパチンコ機２の上皿へ供給される。
【００６０】
また、台間機６（台間メダル貸し機）は、台間機４（サンド）と同様に遊技機と情報通信ができないので、メダルは、台間機６（台間メダル貸し機）のメダル払出口に供給され、遊技者によってスロットマシン機５に移動される。なお、台間機６（台間メダル貸し機）のメダル払出口にノズルを取り付け、自動的にメダルがスロットマシン機５のメダル払出口に供給されるようにしてもよい。
【００６１】
また、各台間機３、４、６には、カード挿入口３ａ、４ａ、６ａ、貸玉ボタン３ｂ、４ｂ（遊技機に貸玉ボタンを有しているので台間機３（ユニット）にはない場合もある。）、再プレー用貸玉ボタン３ｃ、４ｃ、貸メダルボタン６ｂ、再プレー用貸メダルボタン６ｃ、返却ボタン３ｄ、４ｄ、６ｄ、表示部３ｅ、４ｅ、６ｅ、ランプ３ｆ、４ｆ、６ｆ、カード回収部３ｇ、４ｇ、６ｇなどが設けられている。カード挿入口３ａ、４ａ、６ａは、台間機３、４、６への会員用ＩＣカード３０または非会員用ＩＣカード３１の挿入または排出を行なうところである。
【００６２】
会員用ＩＣカード３０または非会員用ＩＣカード３１がカード挿入口３ａ、４ａ、６ａから挿入されると、会員用ＩＣカード３０または非会員用ＩＣカード３１は、カード処理部として機能するリーダライタ部に搬送され、会員用ＩＣカード３０または非会員用ＩＣカード３１のＩＤなどの情報が読み取られる。
【００６３】
ここで、１枚の会員用ＩＣカード３０または非会員用ＩＣカード３１がカード挿入口３ａ、４ａ、６ａから挿入されると、例えば、ソレノイドなどの機械的手段によって、カード挿入口３ａ、４ａ、６ａが封鎖されるので、他の会員用ＩＣカード３０または非会員用ＩＣカード３１を挿入することはできなくなる。これによって、複数の会員用ＩＣカード３０または非会員用ＩＣカード３１がカード挿入口３ａ、４ａ、６ａに挿入されることで生じるカード詰りなどを防止することができる。また、ソレノイドなどの機械的手段を用いずに、他の方法でカード詰りなどを防止してもよい。
【００６４】
貸玉ボタン３ｂ、４ｂは、遊技者がパチンコ玉の貸し出しを要求するときに、押されるボタンである。例えば、貸玉ボタン３ｂ、４ｂが１回押されると５００円分のパチンコ玉が貸し出しされる。なお、パチンコ玉の貸し出しは、５００円単位で行われる。
【００６５】
貸メダルボタン６ｂは、遊技者がメダルの貸し出しを要求するときに押されるボタンである。例えば、貸メダルボタン６ｂが１回押されると１０００円分のメダルが貸し出しされる。なお、メダルの貸し出しは、１０００円単位で行われる。 再プレー用貸玉ボタン３ｃ、４ｃおよび再プレー用貸メダルボタン６ｃは、再プレー受付機１２において再プレー手続が行われた会員用ＩＣカード使用時にのみ利用され、再プレー用に利用することができるパチンコ玉またはメダルを貸し出しするときに押される。
【００６６】
表示部３ｅ、４ｅ、６ｅは、例えば、度数、貯数、持数、再プレー用有価価値などの有価価値を表示する。これによって、これら度数等の有価価値を確認でき、入金のタイミングを図ることができる。また、表示部３ｅ、４ｅ、６ｅには、度数以外の情報を表示してもよい。ランプ３ｆ、４ｆ、６ｆは、遊技している遊技者が、会員または非会員なのかを視覚的に識別するためのもので、例えば、会員の場合は赤色、非会員の場合は青色が発光する。
【００６７】
カード回収部３ｇ、４ｇ、６ｇは、後述する会員カード処理部および非会員カード処理部として機能するカード処理機２００の非会員用カードを貯留するカード貯留部において、非会員用カードの貯留限度量に達した場合に、非会員用カードを回収するものである。カード回収部３ｇ、４ｇ、６ｇに回収された非会員用カードは、従業員などによって、例えば、営業終了後などに回収される。
【００６８】
また、遊技機を列設配備した島内に紙幣搬送装置を設置するスペースがない場合、２台の台間機３、４、６に対し１台の割合で、台間機３、４、６の上部の固定されたランプ板部に、貯留機構付き紙幣識別装置１９が設置されることもある。この貯留機構付き紙幣識別装置１９は、４種類の紙幣に対応できるコンパクトサイズの紙幣識別機であり、台間機３、４、６および島コンピュータ７と情報通信ができるように接続されている。また、貯留機構付き紙幣識別装置１９は、２台のパチンコ機２またはスロットマシン機５に対して１台の割合で設けられているため、貯留機構付き紙幣識別装置１９の紙幣挿入口１９ａに入金されたときには、２台のパチンコ機２またはスロットマシン機５の内どちらのパチンコ機２またはスロットマシン機５への入金かを判定する必要がある。そこで、貯留機構付き紙幣識別装置１９に２個の遊技機指定ボタン１９ｂを設け、入金された側の遊技機指定ボタン１９ｂを押すことによって、入金された側のパチンコ機２またはスロットマシン機５の指定を行う。また、図７に示した台間機３（ユニット）の一例のように、貯留機構付き紙幣識別装置１９の機能は、台間機３、４、６の本体に一体的に構成することもできる。
【００６９】
＜カード処理機２００＞
次に、カード挿入口３ａ、４ａ、６ａから挿入された会員用ＩＣカード３０または非会員用ＩＣカード３１の処理を行うカード処理機２００を図８乃至１７を参照して説明する。図８は、カード処理機２００の斜視図を示す。また、図９は、図８のカード処理機２００のＡ−Ａ断面図、図１０は、図８のカード処理機２００のＢ−Ｂ断面図を示す。
【００７０】
カード処理機２００は、カード処理機本体２０１ａ、カード処理機開壁部２０１ｂ、カード挿入口２０２、リーダライタ部２０３、カード貯留部２０４、カード取込上部２０５、カード取込下部２０６、挿入検知センサ２０８、位置セット検知センサ２０９、落下検知センサ２１０、搬送ベルト２１４、搬送タイヤ２１５から主に構成されている。
【００７１】
リーダライタ部２０３は、ＩＣ部２０３ａ、アンテナ部２０３ｂから構成される。リーダライタ部２０３では、挿入された会員用ＩＣカード３０または非会員用ＩＣカード３１からの情報の読み取りや、会員用ＩＣカード３０または非会員用ＩＣカード３１への情報の書き込みが行われる。また、リーダライタ部２０３は、カード処理機開壁部２０１ｂの外壁側に設置され、会員用ＩＣカード３０または非会員用ＩＣカード３１とカード処理機開壁部２０１ｂの壁部を介して情報の送受信を行っている。
【００７２】
なお、リーダライタ部２０３で読み取り、書き込み、または、読み取りおよび書き込みが不可能な会員用ＩＣカード３０または非会員用ＩＣカード３１が挿入された場合には、その会員用ＩＣカード３０または非会員用ＩＣカード３１は、カード挿入口２０２から返却（カード挿入口２０２へ返送）される。
【００７３】
搬送ベルト２１４は、リーダライタ部２０３に対向して、カード処理機本体２０１ａに設けられた開口部に配置され、回転軸によって伝達された搬送ステップモータの回転によって、搬送ベルト２１４は動作する。搬送ベルト２１４の動作によって、カード挿入口２０２から挿入された会員用ＩＣカード３０または非会員用ＩＣカード３１は、所定の位置まで搬送される。
【００７４】
カード貯留部２０４は、度数残高がゼロになった非会員用ＩＣカード３１を貯留する部分である。また、会員用ＩＣカード３０または非会員用ＩＣカード３１がカード挿入口２０２に挿入されずに、貨幣が台間機に挿入され、遊技終了後に度数残高がある場合には、その度数残高およびＩＤを記憶させて発券するための非会員用ＩＣカード３１がカード貯留部２０４から取り出される。カード貯留部２０４は、カード処理機開壁部２０１ｂのカード通路側の壁に、非会員用ＩＣカード３１の縦横のサイズよりも大きな縦横サイズの凹部を形成することによって構成される。
【００７５】
カード貯留部２０４の凹部には、凹部に一端が固定され、他端がカード支持板２０７に固定されたばねが設けられている。また、カード貯留部２０４の凹部には、限界検知部が設置されている。この限界検知部は、カード貯留部２０４が貯留できる非会員用ＩＣカード３１の許容貯留量に達したときに検知するものである。限界検知部には、例えば、光学的センサや接触により検知するスイッチなどが用いられる。
【００７６】
カード取込上部２０５およびカード取込下部２０６は、カード貯留部２０４に非会員用ＩＣカード３１を取り込むときに、非会員用ＩＣカード３１をカード貯留部２０４に押し込む動作をするものである。また、カード取込上部２０５およびカード取込下部２０６は、カード貯留部２０４から非会員用ＩＣカード３１を取り出す動作をするものである。また、カード取込上部２０５およびカード取込下部２０６は、カード支持板２０７によって押圧される非会員用ＩＣカード３１を、その押圧される側と対向する側から支え、非会員用ＩＣカード３１がカード貯留部２０４から放出されるのを防いでいる。
【００７７】
挿入検知センサ２０８、位置セット検知センサ２０９および落下検知センサ２１０は、例えば、光学的センサで構成される。各検知センサは、２つの対になるセンサで構成され、２つの対になるセンサは、カード通路を挟んで対向するように配置されている。ここで、２つの対になるセンサの一方は発光部、他方は受光部で構成されている。
【００７８】
挿入検知センサ２０８は、会員用ＩＣカード３０または非会員用ＩＣカード３１が、カード挿入口２０２に挿入されたことを検知するセンサである。位置セット検知センサ２０９は、会員用ＩＣカード３０または非会員用ＩＣカード３１が、リーダライタ部２０３との情報のやり取り（交信）を行える位置（リードライト位置）にあるか否かを検知するセンサである。また、位置セット検知センサ２０９は、非会員用ＩＣカード３１をカード貯留部２０４に貯留する際に、非会員用ＩＣカード３１が所定の位置に搬送されたか否かを検知するセンサとしても用いられる。落下検知センサ２１０は、非会員用ＩＣカード３１をカード回収部２１６に回収する際に、カード処理機２００からカード回収部２１６に向けて落下されたか否かを検知するセンサとして用いられる。
【００７９】
また、図９に示すように、カード処理機本体２０１ａの内壁には、カード種区別部材２１８が設置されている。カード種区別部材２１８は、会員用ＩＣカード３０および非会員用ＩＣカード３１をそれぞれの縦横の長さまたは厚さなどのカードサイズから区別するものである。
【００８０】
例えば、カードの縦方向（搬送方向と垂直な方向）の長さによって区別する場合には、カード種区別部材２１８の重力方向（図９では下方向）の長さを調整して、非会員用ＩＣカード３１のみが通過できるようにする。また、カードの厚さによって区別する場合には、カード種区別部材２１８の幅方向（カード通路の幅方向）の長さを調整して、非会員用ＩＣカード３１のみが通過できるようにする。このカード種区別部材２１８を設けることで、会員用ＩＣカード３０よりカードサイズの小さい非会員用ＩＣカード３１のみをカード貯留部２０４に貯留可能な位置に移動することができ、会員用ＩＣカード３０が、カード貯留部２０４に誤って貯留されるのを防止することができる。
【００８１】
搬送タイヤ２１５は、カード貯留部２０４に対向するカード処理機本体２０１ａに設けられた開口部に配置され、回転軸を介して伝えられた搬送ステップモータと隣接するステップモータの駆動力によって回転させられる。
【００８２】
また、搬送タイヤ２１５の回転軸を非会員用ＩＣカード３１面に対して垂直方向に作動させる。つまり、ソレノイドを一方に突出させると、搬送タイヤ２１５は、非会員用ＩＣカード３１面から離れる方向に動作し、ソレノイドを他方に突出させると、搬送タイヤ２１５は、非会員用ＩＣカード３１面を押圧する方向に動作する。この搬送タイヤ２１５は、非会員用ＩＣカード３１をカード回収部２１６と連通したカード排出部２１７に導く場合に作動する。このように、搬送タイヤ２１５を設けることで、スムーズに非会員用ＩＣカード３１をカード排出部２１７に導くことができる。  
【００８３】
次に、カード挿入口２０２から挿入された会員用ＩＣカード３０または非会員用ＩＣカード３１の搬送動作を図１１乃至１７を参照して説明する。挿入検知センサ２０８が、カード挿入口２０２から会員用ＩＣカード３０または非会員用ＩＣカード３１が挿入されたことを検知すると、搬送ステップモータ２３６を駆動し、搬送ベルト２１４を作動させる（図１１）。
【００８４】
会員用ＩＣカード３０または非会員用ＩＣカード３１は、搬送ベルト２１４によって、リーダライタ部２０３との情報のやり取り（交信）を行える位置（リードライト位置）まで搬送される。そして、その位置に会員用ＩＣカード３０または非会員用ＩＣカード３１が搬送されたことが、位置セット検知センサ２０９によって検知されると、搬送ベルト２１４の動作を停止させる（図１２）。
【００８５】
会員用ＩＣカード３０または非会員用ＩＣカード３１の情報が、リーダライタ部２０３で読み取られる。会員用ＩＣカード３０が用いられた場合には、遊技終了後、台間機３、４、６の返却ボタン３ｄ、４ｄ、６ｄが押されると、最新の情報がリーダライタ部２０３によって会員用ＩＣカード３０に書き込まれ、カード挿入口２０２から返却（カード挿入口２０２へ返送）される。なお、会員用ＩＣカード３０が用いられた場合には、度数残高がゼロでもカード挿入口２０２から返却（カード挿入口２０２へ返送）される（図１３）。
【００８６】
非会員用ＩＣカード３１が用いられた場合には、遊技終了後、台間機３、４、６の返却ボタン３ｄ、４ｄ、６ｄが押され、度数残高を有すれば、最新の情報がリーダライタ部２０３によって非会員用ＩＣカード３１に書き込まれ、カード挿入口２０２から返却（カード挿入口２０２へ返送）される（図１３）。
【００８７】
一方、度数残高がゼロのときには、搬送ベルト２１４を再度作動し、非会員用ＩＣカード３１は、カード貯留部２０４に対向する位置まで搬送される（図１４）。ここで、カード貯留部２０４の限界検知部２３１によって検知されずに、非会員用ＩＣカード３１の貯留量に余裕があれば、非会員用ＩＣカード３１は、カード貯留部２０４に貯留される。
【００８８】
一方、カード貯留部２０４の限界検知部によって貯留限界量に達したことが検知された場合には、搬送タイヤ２１５を回転させ、非会員用ＩＣカード３１をカード排出部２１７に導く（図１５）。カード排出部２１７に導かれた非会員用ＩＣカード３１は、カード回収部２１６に落下し、カード回収部２１６に回収される（図１５）。落下検知センサ２１０は、非会員用ＩＣカード３１が、カード排出部２１７を通過したことを検知し、その通過後、搬送タイヤ２１５の回転が停止させる。
【００８９】
なお、上述した会員用ＩＣカード３０または非会員用ＩＣカード３１の搬送動作は、会員用ＩＣカード３０または非会員用ＩＣカード３１がカード挿入口２０２から挿入された場合である。
【００９０】
次に、会員用ＩＣカード３０または非会員用ＩＣカード３１がカード挿入口２０２に挿入されずに、貨幣が貯留機構付き紙幣識別装置１９に挿入された場合について説明する。会員用ＩＣカード３０または非会員用ＩＣカード３１がカード挿入口２０２に挿入されずに、貨幣が貯留機構付き紙幣識別装置１９に挿入されると、カード貯留部２０４から貯留されている非会員用ＩＣカード３１は、カード取込上部２０５およびカード取込下部２０６を回転させることによって、カード取込下部２０６上に取り出される（図１６）。そして、搬送ステップモータ２３６を駆動し、搬送ベルト２１４を作動させ、非会員用ＩＣカード３１が、リーダライタ部２０３との情報のやり取り（交信）を行える位置（リードライト位置）まで搬送される（図１７および図１２）。
【００９１】
遊技終了後、台間機３、４、６の返却ボタン３ｄ、４ｄ、６ｄが押され、度数残高を有すれば、最新の情報がリーダライタ部２０３によって非会員用ＩＣカード３１に書き込まれ、カード挿入口２０２から返却（カード挿入口２０２へ返送）される（図１３）。
【００９２】
一方、度数残高がゼロのときには、搬送ベルト２１４を再度作動し、非会員用ＩＣカード３１は、カード貯留部２０４に対向する位置まで搬送される（図１４）。そして、再度、非会員用ＩＣカード３１は、カード貯留部２０４に貯留される。
【００９３】
なお、ここでは、会員用ＩＣカード３０または非会員用ＩＣカード３１がカード挿入口２０２に挿入されずに、貨幣が貯留機構付き紙幣識別装置１９に挿入された場合に、貨幣が貯留機構付き紙幣識別装置１９に挿入されたのち直ちに、カード貯留部２０４から非会員用ＩＣカード３１が取り出される例を示したが、カード貯留部２０４からの非会員用ＩＣカード３１の取り出しは、遊技終了後、台間機３、４、６の返却ボタン３ｄ、４ｄ、６ｄが押され、度数残高を有することが確認されてから行われてもよい。
【００９４】
前述したカード処理機２００においては、非会員用ＩＣカード３１は、その厚さ方向が重力方向に対して垂直になる姿勢で、挿入、搬送、およびカード貯留部２０４内に積層されて貯留される。従って、本カード処理機は、幅狭に形成することができ、例えば４ｃｍ幅のパチンコ台間等の、幅狭な空間にも好適に設置することが可能となる。
【００９５】
さらに、カード処理機２００は、カード回収部２１６が、カード搬送分岐部よりも重力方向の下方部に備えられている。従って、ＩＣカード３１をカード回収部２１６に搬送する場合、ＩＣカード３１を重力に抗して搬送するようなリフトアップ装置が不要であり、装置を小型化できる。そして更に、ＩＣカード３１を垂直にカード処理して、カード貯留部２０４が満杯でなければそのままカード貯留部２０４に再発行可能に貯留し、満杯であれば、そのままの姿勢を維持して重力作用を利用して回収することができるため、必要なカード搬送機構を必要最小限にすることができる。このため装置を小型にすることができる。
【００９６】
＜台間機３、４、６の動作＞
次に、図１８および１９を参照して、台間機３、４、６の動作について説明する。各台間機３、４、６における基本的な動作は同じであるので、ここでは、一例として台間機３（ユニット）における動作について説明する。図１８は台間機３、４、６の処理部を示す図、図１９は台間機３、４、６における動作の流れを示す図である。
【００９７】
また、ここでは、会員用ＩＣカード３０または非会員用ＩＣカード３１は、ＩＤだけを有し、その他の情報は管理装置１３において管理されるシステムにおける動作の説明をする。さらに、この説明では、会員用ＩＣカード３０を利用する場合には、再プレー受付機１２で再プレー受付された後においては、再プレーＦＬＧが１、再プレーに利用可能な玉数を再プレー用貯玉数として管理装置１３が有しているシステムであることを前提とする。
【００９８】
図１８に示すように、台間機３は、制御部３００、カード処理部３０１、カード貯留処理部３０２、カード位置検知部３０３、選択ボタン検知部３０４、貨幣識別部３０５、入力操作部３０６及び表示部３０７から構成されている。
【００９９】
制御部３００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部３００では、カード処理部３０１、カード貯留処理部３０２、カード位置検知部３０３、選択ボタン検知部３０４、貨幣識別部３０５の各機部間の信号の出入力、および、島コンピュータ７、ネットワーク８を介して管理装置１３との間の信号の出入力を制御している。ここで、島コンピュータ７は、パチンコ機２、スロットマシン機５および台間機３、４、６と、ネットワーク８との間の情報の通信を行うもので、データロガなどで構成されている。
【０１００】
カード処理部３０１は、カード挿入口３ａから挿入された会員用ＩＣカード３０または非会員用ＩＣカード３１に記憶された、例えば、ＩＤやそのＩＤで管理されている有価情報などの読み取り、その読み取った情報の制御部３００への出力、制御部３００からの更新された有価情報などの会員用ＩＣカード３０または非会員用ＩＣカード３１への書き込みなどを行うもので、例えば、リーダライタなどで構成される。
【０１０１】
カード貯留処理部３０２は、非会員用ＩＣカード３１のカード貯留部２０４への貯留、カード貯留部２０４からの取り出しまたはカード回収部２１６への搬送を行うもので、前述したカード取込上部２０５およびカード取込下部２０６などで構成される。また、カード貯留処理部３０２は、カード貯留部２０４が貯留できる非会員用ＩＣカード３１の貯留限界量に達したか否かを判定する機能も有するものである。
【０１０２】
カード位置検知部３０３は、会員用ＩＣカード３０または非会員用ＩＣカード３１の搬送が、適切に行われたか否かを検知するもので、前述した、挿入検知センサ２０８、位置セット検知センサ２０９、落下検知センサ２１０などで構成される。選択ボタン検知部３０４は、貸玉ボタン３ｂ、再プレー用貸玉ボタン３ｃ、返却ボタン３ｄが押されたことを検知し、その押された信号に基づいて、制御部３００に信号を出力するものである。
【０１０３】
貨幣識別部３０５は、貯留機構付き紙幣識別装置１９からの信号に基づき４種類の紙幣を識別し、識別した紙幣の情報を制御部３００に出力するものである。ここでは、貨幣識別部３０５は、台間機３に一体的に構成されている。入力操作部３０６は、遊技者が操作して情報入力を行うものである。表示部３０７は、情報表示を行う表示装置である。入寮操作部３０６と表示部３０７は、一体になっていてもよく、例えば、タッチパネル付きの液晶表示装置で構成する。そして、制御部３００によって制御される、カード処理部３０１、カード貯留処理部３０２、カード位置検知部３０３、選択ボタン検知部３０４、貨幣識別部３０５の各機器部は、次のように動作する。
【０１０４】
次に、図１９を参照して動作を説明する。制御部３００は、各台計数機の計数結果を、既述の近接センサ処理回路のカウント値を読み出して記憶部に記憶する（ステップＳ３０８）。
【０１０５】
次いで制御部３００は、有価価値譲渡処理（図２２、図２３）サブルーチンを行う。有価価値譲渡処理サブルーチンでは、現在リーダライタ部２０３に存在する記憶媒体を外部に排出するかまたは内部のカード貯留部２０４に一時貯留した後、有価価値を新たに挿入される記憶媒体（会員用ＩＣカード３０、非会員用ＩＣカード３１）と相互に収受するものである（ステップＳ３０９）。
【０１０６】
制御部３００は、会員用ＩＣカード３０、非会員用ＩＣカード３１または紙幣を受け入れるまで待機状態にある。貨幣識別部３０５は、紙幣の受け入れがされたか否かを判定する（ステップＳ３１０）。
【０１０７】
ステップＳ３１０の判定で、Ｙｅｓの場合、貨幣識別部３０５は、紙幣の入金額に対応する度数を制御部３００に出力する。カード処理部３０１またはカード位置検知部３０３は常に会員用ＩＣカード３０または非会員用ＩＣカード３１が挿入されたか否かを判定している。そして、カード処理部３０１またはカード位置検知部３０３によって、会員用ＩＣカード３０または非会員用ＩＣカード３１がカード処理部３０１に挿入されていることが判定された場合、カード処理部３０１で会員用ＩＣカード３０または非会員用ＩＣカード３１のＩＤが読み取られ、制御部３００に出力される。
【０１０８】
制御部３００は、貨幣識別部３０５からの紙幣の入金額に対応する度数とカード処理部３０１からのＩＤの情報を島コンピュータ７、ネットワーク８を介して管理装置１３に送信する（ステップＳ３１１）。管理装置１３に送信された情報は、管理装置１３に記録される（ステップＳ３１１）。ここで挿入された会員用ＩＣカード３０または非会員用ＩＣカード３１が読み取りまたは書き込みが不可能な場合は、カード処理部３０１は、会員用ＩＣカード３０または非会員用ＩＣカード３１を返却する。
【０１０９】
一方、カード処理部３０１またはカード位置検知部３０３によって、会員用ＩＣカード３０または非会員用ＩＣカード３１がカード処理部３０１に挿入されていないと判定された場合、前述した非会員用ＩＣカード３１のカード貯留部２０４からの取出動作（図２６）で説明したように、カード貯留処理部３０２によって、カード貯留部２０４から非会員用ＩＣカード３１が取り出される。そして、取り出された非会員用ＩＣカード３１は、カード処理部３０１に搬送される（ステップＳ３１２）。
【０１１０】
そして、カード処理部３０１に搬送された非会員用ＩＣカード３１は、カード処理部３０１によってＩＤが与えられる（ステップＳ３１２）。制御部３００は、そのＩＤおよび紙幣の入金額に対応する度数を管理装置１３に出力し、非会員用ＩＣカード３１にオフラインとなった場合に備え記憶する（ステップＳ３１２）。管理装置１３は、その情報をＩＤに基づいて記録する（ステップＳ３１２）。そして、ステップＳ３１８へ進む。
【０１１１】
ステップＳ３１０の判定で、Ｎｏの場合には、カード位置検知部３０３によって、会員用ＩＣカード３０または非会員用ＩＣカード３１が挿入されているか否かが判定される（ステップＳ３１３）。ステップＳ３１３の判定で、Ｎｏの場合には、制御部３００は待機状態となる。ステップＳ３１３の判定で、Ｙｅｓの場合には、カード処理部３０１によって、会員用ＩＣカード３０または非会員用ＩＣカード３１の情報の読み取りおよび書き込みが可能か否かが判定される（ステップＳ３１４）。
【０１１２】
ステップＳ３１４の判定で、Ｙｅｓの場合には、制御部３００は、カード処理部３０１に会員用ＩＣカード３０または非会員用ＩＣカード３１を返却する情報を出力する。その情報を受け取ったカード処理部３０１は、カード挿入口３ａから会員用ＩＣカード３０または非会員用ＩＣカード３１を返却（カード挿入口３ａへ返送）する（ステップＳ３１５）。
【０１１３】
ステップＳ３１４の判定で、Ｎｏの場合には、カード位置検知部３０３によって、会員用ＩＣカード３０または非会員用ＩＣカード３１の搬送に不良があるか否かが判定される（ステップＳ３１６）。ステップＳ３１６の判定で、Ｙｅｓの場合には、制御部３００は、表示部３ｅに搬送不良が発生したことを表示させる（ステップＳ３１７）。また、制御部３００は、島コンピュータ７、ネットワーク８を介して管理装置１３に、搬送不良の情報を出力する。管理装置１３は、その搬送不良の情報に基づいて、景品管理機（ＰＯＳ）１１などに搬送不良が発生に基づく情報を出力する（ステップＳ３１７）。また、ブザー、場内放送などで搬送不良が発生したことを報知することもできる（ステップＳ３１７）。ここで、カード搬送不良の原因となるカードが取り除かれるまで待機したのちステップＳ３１８へ進む。
【０１１４】
ステップＳ３１６の判定で、Ｎｏの場合には、会員用ＩＣカード３０または非会員用ＩＣカード３１に記憶されたＩＤをカード処理部３０１で読み取る（ステップＳ３１８）。カード処理部３０１は、読み取ったＩＤを、制御部３００に出力し、さらに制御部３００はそのＩＤを管理装置１３に送信する。そして、管理装置１３は、そのＩＤで管理されている有価情報などを読み取り、読み取った情報をネットワーク８、島コンピュータ７を介して制御部３００へ送信する（ステップＳ３１８）。制御部３００は、管理装置１３から送信された情報のうち有価情報の一部を、表示部３ｅに表示する（ステップＳ３１８）。
【０１１５】
貯留機構付き紙幣識別装置１９の紙幣挿入口１９ａから入金がされたときには、貨幣識別部３０５でその入金額を判定し、その入金額の情報を制御部３００に出力する（ステップＳ３１８）。制御部３００は、その情報を島コンピュータ７、ネットワーク８を介して管理装置１３に送信する（ステップＳ３１８）。管理装置１３では、入金額の情報に基づいてＩＤ毎にその入金分の度数を度数残高に積算して書き込む（ステップＳ３１８）。
【０１１６】
選択ボタン検知部３０４で、遊技者が貸玉ボタン３ｂを選択することに基づく貸玉要求信号が入力されたか否かが判定される（ステップＳ３１９）。ステップＳ３１９の判定がＹｅｓの場合には、その貸玉要求信号が制御部３００に出力される（ステップＳ３２０）。
【０１１７】
制御部３００では、会員用ＩＣカード３０または非会員用ＩＣカード３１のＩＤに対応する度数残高を管理装置１３から読み出し、この度数残高と貸玉要求信号に相当する度数とを比較し、度数残高が貸玉要求信号に相当する度数より大きければ、その貸玉要求信号に基づく貸玉排出動作信号を制御部３００を介してパチンコ機２の制御部に送信し、所定数のパチンコ玉のパチンコ機２の上皿への貸し出しを行わせる（ステップＳ３２０）。
【０１１８】
また、制御部３００は、度数残高から貸玉要求信号に相当する度数を減算し、その減算された度数残高を管理装置１３へ送信する。管理装置１３は、その減算された度数残高に基づく情報をＩＤ毎に書き込む。（ステップＳ３２０）。さらに、会員用ＩＣカード３０が利用されている場合には、管理装置１３では、貸玉要求信号に相当する度数に応じて付与されるポイントをＩＤに基づいて加算する（ステップＳ３２１）。
【０１１９】
ステップＳ３１９の判定がＮｏの場合には、選択ボタン検知部３０４で、遊技者が再プレー用貸玉ボタン３ｃを選択することに基づく再プレー用貸玉要求信号が入力されたか否かが判定される（ステップＳ３２２）。
【０１２０】
ステップＳ３２２の判定がＹｅｓの場合には、再プレー用貸玉要求信号がＩＤに基づいて、制御部３００から管理装置１３に送信される。管理装置１３は、ＩＤに基づいて管理されている再プレーＦＬＧの値を制御部３００に出力する。
【０１２１】
制御部３００では、管理装置１３からの再プレーＦＬＧの値を判定する（ステップＳ３２３）。再プレー受付機１２で受付されたときには、管理装置１３内の記録値である再プレーＦＬＧが１となり、受付されていないときには、再プレーＦＬＧが０となっている。
ステップＳ３２３の判定において、再プレーＦＬＧが１であることが制御部３００によって判定された場合、制御部３００は、再プレー用貸玉要求信号をパチンコ機２の制御部に出力する（ステップＳ３２４）。パチンコ機２の制御部は、パチンコ機２から所定数のパチンコ玉の貸し出しを行わせる（ステップＳ３２４）。また、制御部３００は、再プレー用貸玉要求信号に相当する玉数の情報を管理装置１３に出力する。そして、管理装置１３では、再プレー用貯玉数から再プレー用貸玉要求信号に相当する玉数が減算され、減算後の再プレー用貯玉数がＩＤ毎に書き込まれる（ステップＳ３２４）。なお、再プレーフラグは、再プレー受付機１２、または台間機３、４、６によって再プレー用有価価値（再プレー用貯玉数、再プレー用貯メダル数）を１万円相当の範囲で登録する際に管理装置１３がこれらの機器からの再プレー用有価価値の登録値を受信すると１とし、再プレー用有価価値が０となった場合に管理装置１３の制御部７００が０とするようにしてもよい。また台間機３、４、６への記憶媒体（３０、３１）の受付時に管理装置１３からネットワーク８を介して台間機３、４、６の制御部３００がＩＤ情報に対応した再プレーフラグを受信するようにしてもよい。ステップＳ３２６において再プレーフラグを０としてもよい。
【０１２２】
一方、ステップＳ３２３の判定において、再プレーＦＬＧが０であることが制御部３００によって判定された場合、パチンコ玉の貸し出しは行われず、ステップＳ３２７へ進む。このときには、例えば、制御部３００は、表示部３ｅに「再プレーできません。」などの表示をさせることもできる。また、ステップＳ３２２でＮｏと判定されると、ステップＳ３２５に進む。
【０１２３】
続いて、制御部３００は、管理装置１３から再プレー用貯玉数の情報を受信し、との通信によって得た再プレー用貯玉数が０か否かを判定する（ステップＳ３２５）。ステップＳ３２５の判定において、Ｙｅｓの場合には、制御部３００は、再プレーＦＬＧの数値を０に書き換える情報を管理装置１３に出力する（ステップＳ３２６）。そして、管理装置１３では、ＩＤに基づいて再プレーＦＬＧの数値が０に書き換える（ステップＳ３２６）。
【０１２４】
ステップＳ３２５の判定において、Ｎｏの場合には、選択ボタン検知部３０４で、返却ボタン３ｄを選択することに基づく返却要求信号が入力されたか否かが判定される（ステップＳ３２７）。ステップＳ３２７の判定において、Ｎｏの場合には、選択ボタン検知部３０４は、その情報を制御部３００に出力する。そして、カード処理部３０１またはカード位置検知部３０３は、会員用ＩＣカード３０が挿入されているか否かを判定する（ステップＳ３２８）。
【０１２５】
ステップＳ３２８の判定において、Ｙｅｓの場合には、カード処理部３０１またはカード位置検知部３０３は、その情報を制御部３００に出力する。そして、制御部３００は、ランプ３ｆに赤色を点灯させ（ステップＳ３２９）、ソレノイドでカード挿入口３ａを封鎖させる（ステップＳ３３０）。
【０１２６】
一方、ステップＳ３２８の判定において、Ｎｏの場合には、カード処理部３０１またはカード位置検知部３０３は、その情報は制御部３００に出力する。続いて、カード処理部３０１またはカード位置検知部３０３は、非会員用ＩＣカード３１が挿入されているか否かを判定する（ステップＳ３３１）。
【０１２７】
ステップＳ３３１の判定において、Ｙｅｓの場合には、カード処理部３０１またはカード位置検知部３０３は、その情報を制御部３００に出力する。そして、制御部３００は、ランプ３ｆに青色を点灯させ（ステップＳ３３２）、ソレノイドでカード挿入口３ａを封鎖させる（ステップＳ３３０）。ステップＳ３３１の判定において、Ｎｏの場合には、リターンしてスタートに戻る。
【０１２８】
ステップＳ３２７の判定において、Ｙｅｓの場合には、選択ボタン検知部３０４は、その情報を制御部３００に出力する。さらに、カード処理部３０１またはカード位置検知部３０３が、非会員用ＩＣカード３１があるか否かを判定する（ステップＳ３３３）。
【０１２９】
ステップＳ３３３の判定において、Ｎｏの場合には、カード処理部３０１またはカード位置検知部３０３は、その情報を制御部３００に出力する。制御部３００は、カード処理部３０１に、カード挿入口３ａより会員用ＩＣカード３０を返却する情報を出力する。カード処理部３０１は、その情報に基づいて会員用ＩＣカード３０を返却（カード挿入口３ａへ返送）する（ステップＳ３３４）。次いで返却に際し、制御部３００は、会員用ＩＣカード３０に係るＩＤ情報と、最終的な全ての有価価値情報を管理装置１３にネットワーク８を介して送信する。管理装置１３の制御部７００では受信したＩＤ情報に基づいて全ての有価価値情報を記憶部に記憶更新する。
【０１３０】
一方、ステップＳ３３３における判定で、Ｙｅｓの場合には、カード処理部３０１またはカード位置検知部３０３は、その情報を制御部３００に出力する。続いて、カード処理部３０１は、非会員用ＩＣカード３１に度数残高があるか否かを判定する（ステップＳ３３５）。
【０１３１】
ステップＳ３３５の判定において、Ｙｅｓの場合には、カード処理部３０１は、その情報を制御部３００に出力する。制御部３００は、カード処理部３０１に、カード挿入口３ａより非会員用ＩＣカード３１を返却する情報を出力する。そして、カード処理部３０１は、その情報に基づいて非会員用ＩＣカード３１を返却（カード挿入口３ａへ返送）する（ステップＳ３３６）。次いで返却に際し、制御部３００は、非会員用ＩＣカード３１に係るＩＤ情報と、最終的な全ての有価価値情報を管理装置１３にネットワーク８を介して送信する。管理装置１３の制御部７００では受信したＩＤ情報に基づいて全ての有価価値情報を記憶部に記憶更新する。なお、ここで非会員用ＩＣカード３１がリーダライタ部２０３になく、カード貯留部２０４にもない状態で内部記憶部に各有価価値を記憶している場合、表示部３ｅ、４ｅ、６ｅに「ＣＡｒｄ」と表示し、店員にカード補充が必要な旨をネットワーク８を介して管理装置１３に通知し、管理装置１３の制御部７００はインカムにより店員に音声で台番号とカード補充が必要な旨を報知する。なお、この際、管理装置１３の制御部７００は当該台間機３、４、６の台番号を通知される情報に含まれる台間機のアドレス情報により特定される。
【０１３２】
ステップＳ３３５の判定において、Ｎｏの場合には、カード処理部３０１は、その情報を制御部３００に出力する。続いて、カード貯留処理部３０２は、カード貯留部２０４が貯留量が限界か否かを判定する（ステップＳ３３７）。
【０１３３】
ステップＳ３３７の判定において、Ｙｅｓの場合には、カード貯留処理部３０２は、その情報を制御部３００に出力する。制御部３００は、前述した非会員用ＩＣカード３１のカード排出部２１７への誘導動作を行わせる情報をカード貯留処理部３０２に出力する。そして、カード貯留処理部３０２は、非会員用ＩＣカード３１をカード回収部２１６へ搬送する（ステップＳ３３８）。
【０１３４】
ステップＳ３３７の判定において、Ｎｏの場合には、カード貯留処理部３０２は、その情報を制御部３００に出力する。制御部３００は、前述した非会員用ＩＣカード３１のカード貯留部２０４への貯留動作を行わせる情報をカード貯留処理部３０２に出力する。そして、カード貯留処理部３０２は、非会員用ＩＣカード３１をカード貯留部２０４に貯留する（ステップＳ３３９）。
【０１３５】
＜計数機９＞
計数機９は、パチンコ機２またはスロットマシン５を列設した島設備の端部に設けられる島端計数機と呼ばれるもので、投入されるパチンコ玉またはメダルの数量を計数するものである。会員用ＩＣカード３０のみを受け入れるカード挿入口に会員用ＩＣカード３０が挿入された場合には、会員用ＩＣカード３０に記憶されたＩＤを読み取り、計数された計数値が持数（持玉数、持メダル数）としてそのＩＤに基づき管理装置１３に記憶される。管理装置１３において記憶管理される有価価値としては、度数有価価値、持数、貯数、再プレー用貯数の関係は既述の通りである。
【０１３６】
島端計数機９は、例えばパチンコ玉１玉を１円、２円、または４円で貸し出しする営業形態の各コーナーの内、２円貸しコーナーのみに設置され、１円と４円貸しコーナーは各台計数機が設置される運用形態、メダル１枚を５円貸し、２０円貸しする営業形態の各コーナーの内５円貸しコーナーのみに設置される、２０円貸しコーナーは各台計数機が設置される運用形態等、パチンコホールが適宜選択して運用する際に当該島端計数機が設置される。
【０１３７】
一方、会員用ＩＣカード３０、または非会員用ＩＣカード３１がカード挿入口に挿入されない場合には、計数された情報を、例えば、バーコードとしてレシートに記録し、そのレシートがレシート発券口から発行される。また、このレシートには、簡易管理用ＩＤが記録され、その簡易管理用ＩＤは、そのレシートを用いて景品交換されるまで、管理装置１３では計数機９で計数された玉数とともに管理される。
【０１３８】
＜景品管理機（ＰＯＳ）１１＞
景品管理機（ＰＯＳ）１１は、カード挿入口より挿入された会員用ＩＣカード３０または非会員用ＩＣカード３１より読み取ったＩＤに基づき持数、再プレー用貯数、貯数等の計数した結果に基づく景品交換用有価価値を参照し、景品交換用有価価値により交換される景品種別と数量の表示を行い、景品払出機１８が併設される場合、景品払出機１８へ払い出す景品の種別と数量を指示するものである。また、計数機９で発券されたレシートを用いる場合には、バーコードリーダでレシートに記録された情報を読み取り、その情報に基づく景品交換用有価価値の範囲で景品交換を行うものである。
【０１３９】
特殊景品ボタン１１ｅが押された場合の景品は、例えば、大景品（２５００円）、小景品（１０００円）などがあり、貯玉数より端玉（景品と交換後の残り玉）を最小にするよう計算されて、例えば、景品払出機１８が併設されている場合には、景品が自動的に払い出される。景品払出機１８が併設されていない場合には、表示された交換される景品の種別と数量の表示に基づいて、店員などによって景品が払い出される。また、例えば、タバコ、ジュースなどの一般景品と交換する場合には、一般景品選択部１１ｆにより、交換したい景品や個数を選択し、景品交換を行う。一般景品と交換する場合には、店員などが景品を払い出すことが多いが、景品払出機などで自動的に景品を払い出すこともできる。
【０１４０】
＜精算機１０＞
精算機１０は、カード挿入口１０ａより挿入された会員用ＩＣカード３０または非会員用ＩＣカード３１の度数残高を現金で返却するものである。ここで、度数とは、入金された金額を度数化したもので、例えば、１万円を度数化すると１００度数となる。度数残高とは、度数から使用した度数分を差し引いた残りの度数である。
【０１４１】
また、精算機１０では、会員用ＩＣカード３０の利用によって付与されるポイントを、例えば、現金化によって還元してもよい。
【０１４２】
会員用ＩＣカード３０が挿入された場合は、精算機１０に設けられた暗証番号入力用テンキーボードによって暗証番号が入力されると、会員用ＩＣカード３０に記憶された暗証番号と入力された暗証番号との照合が行われ、それらが一致すれば精算動作を行う。これによって、会員の遊技者の場合には、例えば、会員用ＩＣカード３０を落として、第三者に会員用ＩＣカード３０が渡っても、暗証番号がわからない限りは、度数残高が現金化されることはない。このようにすると遊技者が、例えば、トイレに行くためなどで離席した場合、会員用ＩＣカードを盗まれても度数残高を現金化されることはない。
【０１４３】
また、第三者に会員用ＩＣカード３０が渡った場合、第三者に度数残高分を遊技に使用されることが考えられるが、台間機と管理装置１３とが連携して、例えば、台間機にて入力した会員番号や暗証番号に基づいて、その会員用ＩＣカード３０を各機器に使用できないように制御することなどもできる。
【０１４４】
非会員用ＩＣカード３１を用いる場合には、度数残高として保持できる期間が、例えば、１日などのように限られているため、その期間内でなければ、精算機１０で度数残高を精算し、現金化することができない。これによって、非会員用ＩＣカード３１が、パチンコホールやスロットマシンホールの外部に持ち出され、紛失したり、傷つけられたりするのを防止することができる。
【０１４５】
＜管理装置１３＞
図２０は、管理装置１３の構成部を示す図、図２１は、管理装置１３における動作の流れを示す図である。管理装置１３は、各種遊技機の調整を行う為の遊技台毎の遊技情報（個別台履歴情報、平均値等の集計情報）、一部遊技台グループ毎遊技情報（平均値等の集計情報）、税務申告用のパチンコホール全体の遊技情報等を記憶管理し、指示に応じて出力するホールコンピュータ機能、入金から台間機３、４、６による遊技用の利用、精算機１０による残有価価値の現金の返金迄の度数有価価値を記憶媒体（会員用ＩＣカード３０、非会員用ＩＣカード３１）のＩＤ情報にもとづいて記憶管理し、指示に応じて出力するカード管理機能、島端計数機９または各台計数機の計数結果に基づく持数、貯数、再プレー用有価価値等の景品交換用有価価値を記憶媒体（会員用ＩＣカード３０、非会員用ＩＣカード３１、レシート）のＩＤ情報に基づいて記憶管理し、かつ景品交換品の入庫、出庫、在庫、景品交換に基づく景品交換品と景品交換用有価価値の増減を記憶媒体のＩＤ情報に応じて記憶管理し、指示に応じて出力する景品交換管理機能、会員の遊技動向情報、再プレーに関連したデータ（再プレー手数料を含む）を会員用ＩＣカード３０のＩＤ情報に基づいて記憶管理する会員管理機能を有する。
【０１４６】
図１に示されているように、管理装置１３は、複数のパチンコ機２、複数のパチンコ機２のそれぞれに接続された台間機３、４、複数のスロットマシン機５、スロットマシン機５間に接続された台間機６と島コンピュータ７およびネットワーク８を介して接続されている。また、管理装置１３は、計数機９、精算機１０、景品管理機（ＰＯＳ）１１、再プレー受付機１２、発券機２０、データ表示機２１、データ公開機２２などともネットワーク８を介して接続されている。
【０１４７】
さらに、ネットワーク８を介して管理装置１３に入力された情報は、プロトコルコンバータ１４、モデム１５を介してカードセンタ１６に送信される。また、管理装置１３は、例えば、パーソナルコンピュータ１７などとも接続され、パーソナルコンピュータ１７で管理装置１３の情報を見ることができる。また、パーソナルコンピュータ１７は、管理装置１３で管理している各情報にアクセスことができるので、各情報の表示や印刷をすることができる。さらに、パーソナルコンピュータ１７では、例えば、再プレー手数料の設定などの管理装置１３の種々の設定や会員登録などを行うこともできる。
【０１４８】
管理装置１３は、台間機３、４、６、計数機９、精算機１０、景品管理機（ＰＯＳ）１１、再プレー受付機１２、発券機２０、データ表示機２１、データ公開機２２などの機器からの情報を管理するものである。前述した各機器毎の管理装置１３との情報の通信に基づいて、管理装置１３には後述するような様々な情報が記憶されている。
【０１４９】
また、管理装置１３は、各遊技機における、例えば、スランプグラフ、スタート回数、大当たり回数などの情報を各遊技機の上部に取り付けられたデータ表示機２１に出力することもできる。データ表示機２１では、これらの情報を表示部に表示して、遊技台の情報を遊技者に提供する。またパーソナルコンピュータ１７を介して各遊技機の遊技情報の個別台表示、集計した結果であるパチンコホール全体、特定の遊技機機種毎の集計遊技情報を指示に基づいて店員に表示する。
【０１５０】
さらに、管理装置１３は、例えば、各遊技機におけるスランプグラフ、スタート回数、大当たり回数などの情報、遊技台ランキング、遊技台毎の勝敗などの情報をデータ公開機２２に出力することもできる。データ公開機２２では、これらの情報を表示部に表示して、遊技台の情報を遊技者に提供する。
【０１５１】
図２０に示すように、管理装置１３は、制御部７００、カード管理機能（会員カード情報管理部７０１、非会員カード情報管理部７０２）、入出力処理部７０３、ホールコン機能７０４、会員管理機能７０５、景品交換管理機能７０６から構成されている。制御部７００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部７００では、会員カード情報管理部７０１、非会員カード情報管理部７０２、出力処理部７０３の各機部間の信号の出入力、および、ネットワーク８を介して各機器との間の信号の出入力を制御している。また、制御部７００は、管理装置１３とネットワーク８を介して各機器の制御部と通信できるように接続されている。
【０１５２】
管理装置１３は、ホールコンピュータ機能、カード管理機能、景品交換管理機能、会員管理機能の各機能毎に別個のコンピュータで構成してもよいし、各機能毎または一部機能グループ毎に１のコンピュータで構成してもよいし、少なくとも１の機能を複数のコンピュータによって分散実行する形態で構成してもよい。夫々の機能間で各種データを共有し、各種演算結果をパーソナルコンピュータ１３に表示することができる。
【０１５３】
会員カード情報管理部７０１は、各機器に会員用ＩＣカード３０が用いられたときの情報を管理するものである。会員カード情報管理部７０１が管理する情報管理一覧表は、管理装置１３に接続された、例えば、パーソナルコンピュータ１７などで見ることができる。
【０１５４】
会員用ＩＣカード３０が用いられた場合には、会員用ＩＣカード３０のＩＤに基づき、情報管理一覧表に記載されているような、例えば、貯玉数、度数残高、再プレー用貯玉数、ポイント、台間機又は発券機に挿入した金額、精算金額などを管理している。これらのデータは、会員用ＩＣカード３０のＩＤ毎に管理され、さらに、履歴情報、日毎情報、週毎情報などとしても管理されている。情報管理一覧表は、日毎情報である。
【０１５５】
なお、会員用ＩＣカード３０を用いた会員の遊技者用の管理項目は、情報管理一覧表に記載された管理項目に限るものではなく、例えば、遊技した遊技台種毎のアウト（発射玉）、セーフ（遊技の上皿への供給玉、つまり遊技者の獲得玉）、勝敗情報（セーフからアウトを減じたもの）、大当たり回数、ＣＲ機売上などの情報や、会員の遊技者の住所、氏名、年齢、好きな台、連絡先なども管理項目とすることもできる。
【０１５６】
非会員カード情報管理部７０２は、各機器に非会員用ＩＣカード３１が用いられたときの情報を管理するものである。非会員カード情報管理部７０２が管理する情報管理一覧表は、管理装置１３に接続された、例えば、パーソナルコンピュータ１７などで見ることができる。
【０１５７】
非会員用ＩＣカード３１が用いられた場合には、非会員用ＩＣカード３１のＩＤに基づき、情報管理一覧表７５１に記載されているような、例えば、度数残高、台間機又は発券機に挿入した金額、精算金額などを管理している。これらのデータは、非会員用ＩＣカード３１のＩＤ毎に管理される。非会員用ＩＣカード３１を用いる場合には、度数残高を保持できる期間が、例えば、１日などのように限られている。そのため、その期間内でなければ、精算機１０で度数残高を精算し、現金化することができない。
【０１５８】
非会員用ＩＣカード３１が用いられた場合には、度数残高を保持できる期間に対応した情報が管理されている。なお、レシート発券時の簡易管理ＩＤおよび玉数（計数機９で計数されたもの）の情報は、偽造されたレシートが使用されるのを防ぐために、一時的に管理されている。したがって、景品管理機（ＰＯＳ）１１における景品交換時において、レシートの適正を確認した後には、簡易管理ＩＤおよび玉数の情報は、管理装置１３から消去される。
【０１５９】
ここで、非会員用ＩＣカード３１が用いられた場合には、アウト（発射玉）、セーフ（遊技の上皿への供給玉、つまり遊技者の獲得玉）、勝敗（セーフからアウトを減じたもの）、貯玉数、再プレー用貯玉数、再プレー手数料、ポイント、遊技台種別、大当たり回数、ＣＲ機売上などの情報が含まれない点で、会員用ＩＣカード３０のを用いた場合の情報とは異なる。
【０１６０】
入出力処理部７０３は、カードセンタ１６に送信する、例えば、一日の営業結果などの情報を、会員カード情報管理部７０１および非会員カード情報管理部７０２に管理されているデータに基づいて管理している。例えば、パーソナルコンピュータ１７などから終業処理の信号が管理装置１３に入力されると、カードセンタ１６に送信する情報を制御部７００を介してプロトコルコンバータ１４に出力する。プロトコルコンバータ１４に出力された情報は、モデム１５を介してカードセンタ１６に送信される。また入出力処理部７０３は、ネットワーク８を介して各種機器との通信を行う。また入出力処理部７０３は、パーソナルコンピュータ１７とのデータ授受を行う。
【０１６１】
そして、制御部７００によって制御される、会員カード情報管理部７０１、非会員カード情報管理部７０２、入出力処理部７０３の各機器部は、次のように動作する（図２１）。なお、各機器との情報の通信についての動作は、各機器の説明部分で述べたので、ここでは、管理装置１３に入力された情報の管理動作について主に説明する。
【０１６２】
次に、図２１を参照してその動作を説明する。管理装置１３の制御部７００に、発券機２０、再プレー受付機１２、台間機３、４、６、計数機９、景品管理機（ＰＯＳ）１１、精算機１０などからの情報が入力される（ステップＳ７１０）。
【０１６３】
ステップＳ７１０で入力された情報は、制御部７００で、会員用ＩＣカード３０のを用いた場合の情報か否かが判定される（ステップＳ７１１）。ステップＳ７１１の判定で、Ｙｅｓの場合には、入力された情報は、会員カード情報管理部７０１に出力される（ステップＳ７１２）。会員カード情報管理部７０１では、その入力された情報に基づいて、例えば、ＩＤおよび項目毎に入力情報が管理される（ステップＳ７１２）。
【０１６４】
ステップＳ７１１の判定で、Ｎｏの場合には、入力された情報は、非会員カード情報管理部７０２に出力される（ステップＳ７１３）。非会員カード情報管理部７０２では、その入力された情報に基づいて、例えば、ＩＤおよび項目毎に入力情報が管理される（ステップＳ７１３）。
【０１６５】
次に、出力処理部７０３において、パーソナルコンピュータ１７などから終業処理信号が管理装置１３に入力されたか否かが判定される（ステップＳ７１４）。ステップＳ７１４の判定で、Ｎｏの場合には、制御部７００は待機状態となる。ステップＳ７１４の判定で、Ｙｅｓの場合には、出力処理部７０３から、例えば、会員カード情報管理部７０１および非会員カード情報管理部７０２で管理されているデータに基づいて集計された一日の営業結果などの情報が、制御部７００、プロトコルコンバータ１４およびモデム１５を介してカードセンタ１６に送信される（ステップＳ７１５）。
【０１６６】
次に、出力処理部７０３において、パーソナルコンピュータ１７などからデータ送信要求信号が管理装置１３に入力されたか否かが判定される（ステップＳ７１６）。ステップＳ７１６の判定で、Ｎｏの場合には制御部７００は待機状態となる。ステップＳ７１６の判定で、Ｙｅｓの場合には、会員カード情報管理部７０１および非会員カード情報管理部７０２に管理されているデータに基づいて、例えば、所定のデータを、パーソナルコンピュータ１７などに出力する（ステップＳ７１７）。会員カード情報管理部７０１および非会員カード情報管理部７０２に管理されているデータに基づいて、出力されたデータは、パーソナルコンピュータ１７の画面に表示される。
【０１６７】
次に、始業処理を実施する（ステップＳ７１８）。始業処理とは、上記した各機器との通信がネットワークを介して可能か否か、および、各機器の自己診断機能により、各機器における故障の有無を確認する。この確認において、各機器との通信ができない場合や各機器で故障があると判断された場合には、店員に報知される。
【０１６８】
次に、図２２乃至３４を参照して、記憶媒体処理装置として機能する台間機３において、図１８のフローチャートにおけるステップＳ３０９サブルーチンである有価価値譲渡処理として「持玉分割」、「グループ登録」、「会員カード発行」の各処理を行う動作を説明する。まず、図３４を参照して、２枚のカード（会員用ＩＣカード３０または非会員用ＩＣカード３１）間において持玉（会員用ＩＣカード３０または非会員用ＩＣカード３１に記憶されている玉数やメダル数）を分割したり、移行したりする処理形態について説明する。以下の説明において、会員用ＩＣカード３０を会員カードと称し、非会員用ＩＣカード３１を非会員カードと称する。ここでは、分割元のカード（会員カードまたは非会員カード）に持玉数として１０００玉が記憶されているものとする。なお、譲渡する有価価値は、持玉数を例に以下に説明するが、その他、既述した度数有価価値、ポイント、景品交換用有価価値（持数＜持玉数、持メダル数＞、貯数＜貯玉数、貯メダル数＞、再プレー用貯数＜再プレー用貯玉数、再プレー用貯メダル数＞）等どの有価価値を選択するかは遊技客やパチンコホール側で適宜選択可能である。
【０１６９】
図３４（１）に示す第１の処理形態は、分割元のカードが当初台間機３、４、６のカードリーダライタ部２０３にある会員カードであり、分割先のカードが当初カード貯留部２０４にある非会員カードである形態である。分割する有価価値、例えば持玉数を１００玉とすると、分割元の会員カードは１０００玉から９００玉になり、分割先の非会員カードは、０玉から１００玉になる。このとき、分割先の非会員カードに元々持玉数Ｘが記憶されていた場合は、分割数である１００玉はＸ玉に加算されることになり、分割先の非会員カードはＸ玉から１００＋Ｘ玉となる。この場合、当初台間機３、４、６のカードリーダライタ部２０３にある会員カードを一旦外部に排出後、外部に排出した有価価値の一部乃至全部を当初カード貯留部２０４にある非会員カードに対応付けて外部に発行し、その後先に排出した会員カードを再び台間機３、４、６のカードリーダライタ部２０３に搬送し遊技を続行させるものである（発明１）。
【０１７０】
第２の処理形態（図３４（２）参照）は、分割元のカードが当初台間機３、４、６のカードリーダライタ部２０３にある会員カードであり、分割先のカードが当初台間機３、４、６に挿入されていない外部の遊技者が所持する会員カードである形態である。分割する持玉数を１００玉とすると、分割元の会員カードは１０００玉から９００玉になり、分割先の会員カードは、０玉から１００玉になる。このとき、分割先の会員カードに元々持玉数Ｘが記憶されていた場合は、分割数である１００玉はＸ玉に加算されることになり、分割先の会員カードはＸ玉から１００＋Ｘ玉となる（発明２）。
なお、分割先のカードが当初台間機３、４、６のカードリーダライタ部２０３にある会員カードであり、分割元のカードが当初台間機３、４、６に挿入されていない外部の遊技者が所持する会員カード（または非会員カード）である形態である。分割する持玉数を１００玉とすると、分割元の会員カード（または非会員カード）は１０００玉から９００玉になり、分割先の会員カード（または非会員カード）は、０玉から１００玉になる。このとき、分割先の会員カード（または非会員カード）に元々持玉数Ｘが記憶されていた場合は、分割数である１００玉はＸ玉に加算されることになり、分割先の会員カード（または非会員カード）はＸ玉から１００＋Ｘ玉となる。この場合、当初台間機３、４、６のカードリーダライタ部２０３にある会員カードを一旦外部に排出し、その後外部の遊技者が所持する会員カード（または非会員カード）をカードリーダライタ部２０３に受け入れて譲渡する有価価値を減じるか加算した結果の残有価価値に対応付けられた状態とした後、先に外部に排出した会員カードを再び台間機３、４、６のカードリーダライタ部２０３に搬送し遊技を続行させるものである（発明２）。
【０１７１】
なお、当初台間機３、４、６のカードリーダライタ部２０３にある会員カードに当初台間機３、４、６に挿入されていない外部の遊技者が所持する会員カードを紐づけてグループ化し、譲渡する有価価値がない形態も例示できる（発明６）。
【０１７２】
第３の処理形態（図３４（３）参照）は、分割元のカードが当初台間機３、４、６のカードリーダライタ部２０３にある非会員カードであり、分割先のカードが当初カード貯留部２０４にある非会員カードである形態である。分割する持玉数を１００玉とすると、分割元の非会員カードは１０００玉から９００玉になり、分割先の非会員カードは、０玉から１００玉になる。このとき、分割先の非会員カードに元々持玉数Ｘが記憶されていた場合は、分割数である１００玉はＸ玉に加算されることになり、分割先の非会員カードはＸ玉から１００＋Ｘ玉となる。（発明３）この場合、当初台間機３、４、６のカードリーダライタ部２０３にある非会員カードに譲渡有価価値を対応付けて排出し、その後カード貯留部２０４にある非会員カードにカードリーダライタ部２０３に搬送し、当初有価価値から譲渡有価価値を差し引いた残りの残有価価値を対応付けて遊技を続行させるものである（発明３）。
【０１７３】
第４の処理形態（図３４（４）参照）は、分割元のカードが当初台間機３、４、６のカードリーダライタ部２０３にある非会員カードであり、分割先のカードが当初台間機３、４、６に挿入されていない外部の遊技者が所持する会員カードである形態である。分割する持玉数を１００玉とすると、分割元の非会員カードは１０００玉から９００玉になり、分割先の会員カードは、０玉から１００玉になる。このとき、分割先の会員カードに元々持玉数Ｘが記憶されていた場合は、分割数である１００玉はＸ玉に加算されることになり、分割先の会員カードはＸ玉から１００＋Ｘ玉となる。（発明４）また分割先のカードが当初台間機３、４、６のカードリーダライタ部２０３にある非会員カードであり、分割元のカードが当初台間機３、４、６に挿入されていない外部の遊技者が所持する会員カードである形態である。分割する持玉数を１００玉とすると、分割元の非会員カードは１０００玉から９００玉になり、分割先の会員カードは、０玉から１００玉になる。このとき、分割先の会員カードに元々持玉数Ｘが記憶されていた場合は、分割数である１００玉はＸ玉に加算されることになり、分割先の会員カードはＸ玉から１００＋Ｘ玉となる。（発明４）この場合、当初台間機３、４、６のカードリーダライタ部２０３にある非会員カードを一旦貯留部２０４に貯留し、その後外部の遊技者が所持する会員カード（または非会員カード）をカードリーダライタ部２０３に受け入れて譲渡する有価価値を減じるか加算した結果の残有価価値に対応付けられた状態とした後、先に貯留部２０４に貯留したカードを再び台間機３、４、６のカードリーダライタ部２０３に搬送し遊技を続行させるものである（発明４）。
【０１７４】
第５の処理形態（図３４（５）参照）は、当初台間機３、４、６のカードリーダライタ部２０３にある非会員カードの持玉数を、新たに発行する店員が外部から挿入する有価価値情報を有さないカード券面の柄が会員用であるとされた未使用もしくはリサイクルされた会員カードへ移行する形態である。非会員カードの持玉数が１０００玉である場合、非会員カードの持玉数は、初期化されて０となり、新たに発行した会員カードに１０００玉が移行する（発明７）。
【０１７５】
次に、図１８、図２２を参照して、遊技者が「有価価値分割（合算）」、「グループ登録」、「会員カード発行」のうち、所望する機能を選択する処理動作を説明する。図２２におけるサブルーチンは図１９のステップＳ３０９から呼び出され下記に説明する処理を実行後リターンによってステップＳ３１０に戻る。まず、遊技者は、非会員カードまたは会員カードを使用した遊技中において、入力操作部３０６を操作して、実行する機能を選択する。制御部３００は、入力操作部３０６における入力操作内容を読み取る（ステップＳ１）。そして、制御部３００は、入力操作内容が「有価価値分割（合算）」、「グループ登録」、「会員カード発行」のうち、いずれの機能が選択されたかを判定する（ステップＳ２）。この判定の結果、「有価価値分割（合算）」が選択された場合、制御部３００は、表示部３０７に分割先のカードを選択する旨のメッセージを表示し、遊技者に分割（合算）先カードを選択させる。ここで、遊技者は、入力操作部３０６を操作して、分割（合算）先カードを選択する入力操作を行う。
【０１７６】
これを受けて、概要としては、制御部３００は、入力操作部３０６における入力操作内容を読み取り、入力操作内容と現在リーダライタ部２０３に内在する記憶媒体の会員、非会員の種別に応じて選択された分割元カード、分割先カードを特定する（ステップＳ３）。詳細には、制御部３００は、下記１）から５）の場合分けに従い分割元カード、分割先カードを特定する。
【０１７７】
（発明１：遊技中会員カード→非会員カードを貯留部から取り出し譲渡有価価値記憶して排出→再び会員カードを受け入れ残有価価値で遊技継続）
図３４における第１の処理形態の場合
１）制御部３００は、入力操作内容が他の非会員（現在この遊技台で遊技していない者）への有価価値の譲渡であり、かつリーダライタ部２０３にある現在遊技中の記憶媒体が会員カードである判断した場合、リーダライタ部２０３にある現在遊技中の記憶媒体を分割元カード、貯留部２０４に貯留された非会員カードを分割先カード、と特定する。そして、制御部３００は第１の処理形態である旨を記憶部に書き込む。この場合制御部３００はステップＳ４に移行後ステップＳ５のサブルーチンである図２３に示す貯留カードとの分割処理へ移行する。
【０１７８】
（発明２のその１（第２の処理形態のその１）：会員カード遊技中、挿入カードに有価価値譲渡）
図３４における第２の処理形態の場合
２）−１、制御部３００は、入力操作内容が他の者（現在この遊技台で遊技していない会員または非会員）への有価価値の譲渡であり、かつリーダライタ部２０３にある現在遊技中の記憶媒体が会員カードであると判断した場合、リーダライタ部２０３にある現在遊技中の会員カードを分割元カード、外部から挿入されるであろう受入カード（会員または非会員）を分割先カードと特定する。そして、制御部３００は第２のその１の処理形態である旨を記憶部に書き込む。この場合、制御部３００はステップＳ４に移行後ステップＳ６のサブルーチンである図２６に示す受入カードとの分割（合算）処理へ移行する。
【０１７９】
図３４における第２の処理形態の場合
（発明２のその２（第２の処理形態のその２）：会員カード遊技中、挿入カードの有価価値から会員カードに有価価値譲渡）
２）−２、制御部３００は、入力操作内容が他の者（現在この遊技台で遊技していない会員または非会員）からの有価価値の譲渡であり、かつリーダライタ部２０３にある現在遊技中の記憶媒体が会員カードであると判断した場合、外部から挿入されるであろう受入カード（会員または非会員）を分割元カード、リーダライタ部２０３にある現在遊技中の会員を分割先カードを特定する。そして、制御部３００は第２のその２の処理形態のその２である旨を記憶部に書き込む。この場合、制御部３００はステップＳ４に移行後ステップＳ６のサブルーチンである図２６に示す受入カードとの分割（合算）処理へ移行する。
【０１８０】
（発明３：遊技中の非会員カードに譲渡有価価値を対応付けて外部に排出、貯留部から非会員カードを取り出して残有価価値を対応付けて遊技継続）
図３４における第３の処理形態の場合
３）制御部３００は、入力操作内容が他の非会員（現在この遊技台で遊技していない非会員）への有価価値譲渡であり、かつリーダライタ部２０３にある現在遊技中の記憶媒体が非会員カードであると判断した場合、リーダライタ部２０３にある現在遊技中の非会員カードを分割先カード、貯留部２０４から取り出した非会員カードを分割元カードとして特定する。そして、制御部３００は第３の処理形態である旨を記憶部に書き込む。この場合制御部３００は、ステップＳ４に移行後ステップＳ５のサブルーチンである図２３に示す貯留カードとの分割処理へ移行する。
【０１８１】
（発明４のその１（第４の処理形態のその１）：非会員カード遊技中、会員カード挿入後非会員カードを貯留し、会員カードの有価価値に譲渡有価価値分を加算した後当該会員カード排出、非会員カードを貯留部から再度取り出して残有価価値で遊技継続）
図３４における第４の処理形態
４）−１、制御部３００は、入力操作内容が他の会員（現在この遊技台で遊技していない会員）への有価価値譲渡であり、かつリーダライタ部２０３にある現在遊技中の記憶媒体が非会員カードであると判断した場合、外部から挿入されるであろう受入カード（会員カード）を分割先カード、リーダライタ部２０３にある現在遊技中の非会員を分割元カードを特定する。そして、制御部３００は第４のその１の処理形態である旨を記憶部に書き込む。この場合制御部３００は、ステップＳ４に移行後ステップＳ６のサブルーチンである図２６に示す受入カードとの分割（合算）処理へ移行する。
【０１８２】
（発明４のその２（第４の処理形態のその１）：非会員カード遊技中、会員カード挿入後非会員カードを貯留し、会員カードの有価価値から譲渡有価価値分を減算した後当該会員カード排出、非会員カードを貯留部から再度取り出して減算分を当初非会員カードの有価価値に加算した残有価価値で遊技継続）
図３４における第４の処理形態
４）−２、制御部３００は、入力操作内容が他の会員（現在この遊技台で遊技していない会員）からの有価価値譲渡であり、かつリーダライタ部２０３にある現在遊技中の記憶媒体が非会員カードであると判断した場合、外部から挿入されるであろう受入カード（会員カード）を分割元カード、リーダライタ部２０３にある現在遊技中の非会員カードを分割先カードを特定する。そして、制御部３００は第４のその２の処理形態である旨を記憶部に書き込む。この場合制御部３００は、ステップＳ４に移行後ステップＳ６のサブルーチンである図２６に示す受入カードとの分割（合算）処理へ移行する。
【０１８３】
（発明４における貯留部２０４に非会員カードが満杯（例えば５枚）場合の処理）
なお、ここで制御部３００は、貯留部２０４が満杯（５枚のストック）であると判断した場合、新たに挿入される会員カードを受け入れ可能な状態とする為、当初遊技していた非会員カードを貯留部２０４に貯留することができないので、カード回収部３ｇ、４ｇ、６ｇへ導く。そして制御部３００は、新たに挿入された会員カードの有価価値に対し、譲渡有価価値を加減算した後、当該会員カードを外部に排出し、非会員カードを貯留部２０４から取り出して残有価価値による遊技を継続可能にするとよい。（４）−１、４）−２共通）
【０１８４】
次いで、制御部３００は、特定した分割（合算）先カードが貯留カードか、受け入れたカードかを判定し（ステップＳ４）、分割（合算）先カードがカード処理機内に貯留されている非会員カードであれば、貯留カードへの有価価値の分割（合算）処理（ステップＳ５）を行い、受け入れカードであれば、受け入れカードへの有価価値の分割処理（ステップＳ６）を行う。貯留カードへの有価価値の分割（合算）処理（ステップＳ５）と、受け入れカードへの有価価値の分割（合算）処理（ステップＳ６）の詳細処理動作は後述する。
【０１８５】
一方、ステップＳ２における判定の結果、「グループ登録」が選択された場合、制御部３００は、グループ登録処理（ステップＳ７）を行い、「会員カード発行」が選択された場合は、会員カード発行処理（ステップＳ８）を行う。グループ登録処理（ステップＳ７）と、会員カード発行処理（ステップＳ８）の詳細処理動作は後述する。
【０１８６】
（発明７：非会員カード遊技中、未登録の会員カード挿入後非会員カードを貯留し、未登録の会員カードの有価価値に有価価値全部を対応付けて遊技継続）
図３４における第５の処理形態
ステップＳ８の概要としては、
５）制御部３００は、入力操作内容が会員カードの発行希望であり、かつリーダライタ部２０３にある現在遊技中の記憶媒体が非会員カードであると判断した場合、外部から店員によって挿入されるであろう未登録の会員カードを分割先カード、リーダライタ部２０３にある現在遊技中の非会員カードを分割元カードとして特定する。そして、制御部３００は第５の処理形態である旨を記憶部に書き込み、図３２に示すサブルーチンを呼出して実行する。
【０１８７】
（発明７における貯留部２０４に非会員カードが満杯（例えば５枚）の場合の処理）
なお、ここで制御部３００は、貯留部２０４が満杯（５枚のストック）であると判断した場合、新たに挿入される会員カードを受け入れ可能な状態とする為、当初遊技していた非会員カードを貯留部２０４に貯留することができないので、カード回収部３ｇ、４ｇ、６ｇへ導く。
【０１８８】
制御部３００は、貯留カードへの有価価値分割処理（ステップＳ５）、受け入れカードへの有価価値分割（合算）処理（ステップＳ６）、グループ登録処理（ステップＳ７）、会員カード発行処理（ステップＳ８）のいずれかを実行した後、ステップＳ１に戻って処理を繰り返す。なお、ステップＳ５は、図２２に示すカード貯留部２０４から取り出した非会員カードを用いた有価価値譲渡についてのサブルーチン、ステップＳ６は図２６に示す外部から受け入れた記憶媒体を用いた有価価値譲渡についてのサブルーチン、ステップ７は、グループ登録処理に係るサブルーチン、ステップＳ８は台間機３、４、６における会員カード発行に係るサブルーチンであり、これらを実行後リターンし、図１９のステップＳ３１０へ戻る。
【０１８９】
＜貯留カードとの有価価値分割処理＞
次に、図２３を参照して、図２２に示す貯留カードを用いた有価価値分割（ステップＳ５）の詳細処理動作を説明する。図２３は図２２におけるステップＳ５からのサブルーチンであり、リターンすると呼出し元の図２２に戻る。図２３は上記第１の処理形態（遊技中会員カード→非会員カードを貯留部から取り出し譲渡有価価値記憶して排出→再び会員カードを受け入れ残有価価値で遊技継続）と第３の処理形態（遊技中の非会員カードに譲渡有価価値を対応付けて外部に排出、貯留部から非会員カードを取り出して残有価価値を対応付けて遊技継続）に対応したジョブである。
【０１９０】
当初、遊技者によって貯留カードへの有価価値分割が選択された時点では、この遊技者が所有する会員カードまたは非会員カードが受け入れられている状態で遊技されている。まず、制御部３００は、表示部３０７に有価価値（度数、持数、貯数）の内いずれを分割するのかを表示し、分割数を入力する指示のメッセージを表示する。ここで、遊技者による入力操作部３０６の操作に従い、制御部３００は、有価価値（度数、持数、貯数）の内いずれを分割するのか（指定有価価値と呼ぶ）を入力し、入力された有価価値の分割する分割数（譲渡有価価値）を入力する。制御部３００は、入力操作部３０６の操作内容を読み取り、譲渡有価価値数を特定する（ステップＳ１１）。譲渡有価価値数の入力は、直接数値を譲渡有価価値数してもよいし、表示部３０７に「１００玉」、「５００玉」、「１０００玉」等の譲渡有価価値数を表示し、表示された価値数を選択することにより譲渡有価価値数を入力するようにしてもよい。
【０１９１】
次に、制御部３００は、自身の記憶部から読み出して各有価価値を特定する（ステップＳ１２）。これを受けて、制御部３００は、入力した譲渡有価価値数と受け入れ中カードの指定有価価値における当初有価価値とを比較し（ステップＳ１３）、分割可能であるか否かを判定する（ステップＳ１４）。この判定の結果、分割ができない（譲渡有価価値数が当初有価価値数より大きい）場合、制御部３００は、表示部３０７にエラー表示もしくは「有価価値不足」等の表示を行い（ステップＳ１５）、ステップＳ１１に戻って再度分割数入力を行う。一方、分割可能な場合、制御部３００は、指定有価価値について譲渡する有価価値である譲渡有価価値を当初所有の有価価値である当初有価価値から減算した残有価価値を既述の分割元の記憶媒体に対応付け、譲渡有価価値を既述の分割先の記憶媒体に対応付ける（ステップＳ１６）。例えば、指定有価価値が持玉数の場合、当初有価価値が１０００玉であり分割する譲渡有価価値数が１００玉である場合、残有価価値９００（１０００−１００）と１００に分割する。
【０１９２】
なお、有価価値を記憶媒体に対応付けるとは、Ａ）有価価値を記憶媒体に記憶する、Ｂ）記憶媒体に記憶された記憶媒体を識別する為のＩＤ情報と、対応付ける有価価値と、を管理装置１３に送信し、管理装置１３ではＩＤ情報に基づいて後程ＩＤ情報によって読み出し可能に記憶部に記憶する、Ａ）及びＢ）の少なくとも一方からなる処理を言う。管理装置１３においてＩＤ情報によって読み出し可能に記憶部に記憶するとは、例えば有価価値を記憶する所定のメモリエリアの先頭アドレスに、ＩＤ情報を加算した格納アドレスで特定されるメモリに記憶すること等を例示できる。停電や管理装置の故障、ネットワークケーブルの断線等によって通信不能になった場合には、記憶媒体の有価価値を用いて景品交換したり残度数分の返金処理し、通信が正常の場合には管理装置１３の記憶部に記憶された有価価値に基づいて景品交換したり残度数分の返金処理する為、Ａ）及びＢ）の両方をからなる処理を行うことが一般的である。
【０１９３】
次に、当初遊技のカードの排出として、制御部３００は、第１の処理形態（遊技中会員カード→非会員カードを貯留部から取り出し譲渡有価価値記憶して排出→再び会員カードを受け入れ残有価価値で遊技継続）と判断した場合、リーダライタ部２０３と交信可能な位置にある会員カードと既述の残有価価値との対応付け処理（カードへの残有価価値の書き込みと、管理装置１３で当該カードＩＤに基づいた残有価価値の記憶、以後対応付け処理の記載を省略する）を行った後に外部に排出し、第１の処理形態でない（第３の処理形態）（遊技中の非会員カードに譲渡有価価値を対応付けて外部に排出、貯留部から非会員カードを取り出して残有価価値を対応付けて遊技継続）と判断した場合、リーダライタ部２０３と交信可能な位置にある非会員カードと譲渡有価価値との対応付け処理を行った後外部に排出する（ステップＳ１７）。
【０１９４】
続いて、制御部３００は、カード貯留処理部３０２に対して、カード貯留部２０４に貯留してある非会員カードの取り出しを指示する。カード貯留処理部３０２は、搬送ベルト２１４を駆動して、カード貯留部２０４に貯留してある非会員カードの取り出し、リーダライタ部２０３によって情報の読み書きを行うことができるようにする（ステップＳ１８）。
【０１９５】
次に、制御部３００は、第１の処理形態と判断した場合、カード処理部３０１に対して、上記譲渡有価価値を取り出した非会員カードに対応付けるように指示する。これを受けて、カード処理部３０１は、リーダライタ部２０３を介して、取り出した非会員カードに譲渡有価価値を対応付ける処理を行う（ステップＳ１９）。
【０１９６】
また制御部３００は、第１の処理形態でない（第３の処理形態）と判断した場合、カード処理部３０１に対して、上記残有価価値を取り出した非会員カードに対応付けるように指示する。これを受けて、カード処理部３０１は、リーダライタ部２０３を介して、取り出した非会員カードに譲渡有価価値を対応付ける処理を行う（ステップＳ１９）。
【０１９７】
また制御部３００は、第１の処理形態でない（第３の処理形態）と判断した場合サブルーチンを終了し、呼出し元のジョブにリターンする（ステップＳ２２）。また制御部３００は、ステップＳ２２において第１の処理形態であると判断した場合ステップＳ２０に移行する（ステップＳ２２）。
【０１９８】
次いで、制御部３００は、カード処理部３０１に対して、搬送ベルト２１４を駆動して取り出した非会員カードの排出を指示する。これを受けて、カード処理部３０１は、分割数の度数が対応付けられた非会員カードを外部に排出する（ステップＳ２０）。（Ｓ２０は第１の処理形態のみ実施）
【０１９９】
次に、制御部３００は、表示部３０７に先に排出した分割元カード（会員カード）を挿入するように指示するメッセージを表示しつつリーダライタ部２０３によって新たに挿入されたカードが当該分割元カードであるか否かを判定する。制御部３００は、当該分割元カードの挿入を検知しない限り、当該メッセージの表示を維持しつつ、当該分割元カードの挿入を待機してリターンし呼出し元のジョブに移行する。（状態が変わらないので台間機３、４、６の制御部３００としては待機中も他の処理を行いつつステップＳ２１を必ず実行することになる。）制御部３００が当該分割元カードの挿入を検知した場合、上記残有価価値を対応付けて遊技継続可能な状態にする（ステップＳ２１）。次いで制御部３００は、リターンし呼出し元のジョブに移行する。
【０２００】
（発明１における貯留部に非会員カードがない場合の処理）
なお、ここで制御部３００は、第１の処理形態であってかつ、貯留部２０４に設けられたカードの有無を検知する光学式センサによって貯留部２０４に発行可能な非会員カードがないと判定した場合、表示部３ｅ、４ｅ、５ｅにカード補充が必要な旨を示す「ＣＡｒｄ」と表示し、会員カードを引き抜き可能なカード挿入口３ａ、４ａ、６ａ（２０２）から外部に会員カードの一部を露出した状態まで搬送ベルト２１４を駆動して搬送する。会員カードが２０２から外部に引き抜かれ、かつ店員から貯留部２０４にカードの補充を受けると補充された非会員カードを譲渡有価価値に対応付けた状態とするとともに非会員カードを引き抜き可能なカード挿入口３ａ、４ａ、６ａ（２０２）から外部に会員カードの一部を露出した状態まで搬送ベルト２１４を駆動して搬送する。そして制御部３００は、補充された新たな非会員カードが引き抜かれた後、当初遊技していた会員カードを再びリーダライタ部へ搬送し、譲渡有価価値を差し引いた残りの残有価価値に対応付けた状態で遊技を継続可能な状態にする（ステップＳ１８、Ｓ１９、Ｓ２０、Ｓ２１）。
【０２０１】
（発明３における貯留部に非会員カードがない場合の処理）
なお、ここで制御部３００は、第３の処理形態であって貯留部２０４に設けられたカードの有無を検知する光学式センサによって貯留部２０４に発行可能な非会員カードがないと判定した場合、表示部３ｅ、４ｅ、５ｅにカード補充が必要な旨を示す「ＣＡｒｄ」と表示し、当初遊技の非会員カードを引き抜き可能なカード挿入口３ａ、４ａ、６ａ（２０２）から外部に非会員カードの一部を露出した状態まで搬送ベルト２１４を駆動して搬送する。当初遊技の非会員カードが２０２から外部に引き抜かれ、かつ店員から貯留部２０４にカードの補充を受けると補充された非会員カードを搬送ベルト２１４を駆動してリーダライタ部２０３迄搬送する。そして制御部３００は、当初遊技していた非会員カードの当初有価価値から譲渡有価価値を差し引いた残りの残有価価値に対応付けた状態で遊技を継続可能な状態にする（ステップＳ１８、Ｓ１９、Ｓ２０、Ｓ２１）。
【０２０２】
次に、図２４に示す模式図を参照して、図２３に示す第１の処理形態（発明１：遊技中会員カード→非会員カードを貯留部から取り出し譲渡有価価値記憶して排出→再び会員カードを受け入れ残有価価値で遊技継続）における動作を説明する。図２４は、遊技中のカードが会員カードである場合の動作を示す模式図である。まず、遊技者が、会員カードを台間機３、４、６に挿入する（図１９のＳ３１３ＹＥＳ）（図２４（１））と、リーダライタ部２０３が受け入れた会員カードに対応付けされている各種の当初有価価値を読み出すか、新たな現金投入によって生じた度数やパチンコ玉を各台計数機で計数した持数等の有価価値を生成することで（図１９のＳ３１８）（図２４（２））、遊技可能状態となる。そして、制御部３００は、有価価値分割するために譲渡有価価値が入力されると、現時点の当初有価価値から譲渡有価価値を減算する。例えば、当初有価価値が１０００で分割数が１００であれば、新たな譲渡有価価値を減算し９００（残有価価値）にし、分割した値（ここでは、１００）を内部に記憶する（図２４（３））。
【０２０３】
次に、遊技中であった会員カードを外部に排出し（図２４（４））、カード貯留部２０４から１枚の非会員カードを取り出す（図２４（５））。制御部３００は、リーダライタ部２０３を介して、譲渡有価価値を取り出した非会員カードに対応付け（図２４（６））、この非会員カードを外部に排出する（図２４（７））。そして、再び会員カードを挿入する（図２４（８）と、制御部３００は、リーダライタ部２０３を介して分割後の残有価価値（ここでは９００）を再び受け入れた会員カードに対応付ける。
【０２０４】
次に、図２５に示す模式図を参照して、図２３に示す第３の処理形態（発明３：遊技中の非会員カードに譲渡有価価値を対応付けて外部に排出、貯留部から非会員カードを取り出して残有価価値を対応付けて遊技継続）における処理動作を説明する。図２５は、遊技中のカードが非会員カードである場合の動作を示す模式図である。まず、遊技者が、非会員カードを挿入するか、現金投入もしくは遊技媒体の各台計数機による計数によって生じた有価価値に対応して内部のカード貯留部２０４からカードリーダライタ部２０３位置に非会員カードを取り出す（図１９のＳ３１３ＹＥＳ）（図２５（１））と、リーダライタ部２０３が受け入れた非会員カードに対応付けされている各種の当初有価価値を読み出し（図１９のＳ３１８）（図２５（２））、遊技可能状態となる。そして、制御部３００は、有価価値分割するために譲渡有価価値が入力されると、現時点の当初有価価値から譲渡有価価値を減算する。例えば、当初有価価値が１０００で譲渡有価価値が１００であれば、当初有価価値から譲渡有価価値を減算し９００（残有価価値）にし、分割した値（ここでは、１００）を内部に記憶する（図２５（３））。
【０２０５】
次に、遊技中であった非会員カードに譲渡有価価値を対応付けるとともに外部に排出し（図２５（４））、カード貯留部２０４から１枚の非会員カードを取り出す（図２５（５））。制御部３００は、リーダライタ部２０３を介して、残有価価値を取り出した非会員カードに対応付ける（図２５（６））。
【０２０６】
図２５における他のやり方としては、まず、遊技者が、非会員カードを挿入する（図１９のＳ３１３ＹＥＳ）（図２５（１））と、リーダライタ部２０３が受け入れた非会員カードに対応付けされている各種の当初有価価値を読み出し（図１９のＳ３１８）（図２５（２））、遊技可能状態となる。そして、制御部３００は、有価価値分割するために譲渡有価価値が入力されると、現時点の当初有価価値から譲渡有価価値を減算する。例えば、当初有価価値が１０００で分割数が１００であれば、新たな譲渡有価価値を減算し９００（残有価価値）にし、分割した値（ここでは、１００）を内部に記憶する（図２５（３））。ここまでは上記と同一。
【０２０７】
次に、遊技中であった非会員カードを外部に排出し（図２５（４））、カード貯留部２０４から１枚の非会員カードを取り出す（図２５（５））。制御部３００は、リーダライタ部２０３を介して、譲渡有価価値を取り出した非会員カードに対応付ける（図２５（６））とともに外部に排出する（図２５（７））。次いで制御部３００は、先に外部に排出した当初遊技中であった非会員カードを再度挿入する旨の表示を３ｅ、４ｅ、６ｅに行い、当該当初遊技中の非会員カードを再び受け入れる（図２５（８））と、残有価価値との対応付け（図２５（９））を行い、当該当初遊技中の非会員カードで遊技継続が可能ならしめるようにしてもよい。この場合、上記既述の図２５（１）から（６）迄で終える方が、手続き数を減らせるので好ましい。
【０２０８】
このようにして、第１の処理形態（図２３、図２４）、第３の処理形態（図２３、図２５）において、遊技中のカード（会員カードまたは非会員カード）と、貯留部から取り出した非会員カードとの間で有価価値の譲渡が行われることができるようになる。この機能を利用することにより、家族や友人に持玉等の有価価値を分け与えることが可能となる。
【０２０９】
＜受け入れカードとの有価価値譲渡処理＞
次に、図２６を参照して、図２２に示す受け入れカードとの有価価値に係る分割（合算）処理（ステップＳ６）の詳細処理動作を説明する。図２６は図２２におけるステップＳ６のサブルーチンであり、リターンに至ると呼出し元のジョブに戻る。なお図２６における処理は、第２の処理形態（発明２のその１：会員カード遊技中、挿入カードに有価価値譲渡）、（発明２のその２：会員カード遊技中、挿入カードの有価価値から会員カードに有価価値譲渡）、第４の処理形態（発明４のその１：非会員カード遊技中、会員カード挿入後非会員カードを貯留し、会員カードの有価価値に譲渡有価価値分を加算した後当該会員カード排出、非会員カードを貯留部から再度取り出して残有価価値で遊技継続）（発明４のその２：非会員カード遊技中、会員カード挿入後非会員カードを貯留し、会員カードの有価価値から譲渡有価価値分を減算した後当該会員カード排出、非会員カードを貯留部から再度取り出して減算分を当初非会員カードの有価価値に加算した残有価価値で遊技継続）に対応したジョブである。
【０２１０】
当初、遊技者によって有価価値譲渡が選択された時点では、この遊技者が所有する会員カードまたは非会員カードが受け入れられている状態で遊技されている。まず、制御部３００は、有価価値譲渡が選択されると、表示部３０７に譲渡する有価価値が何かと譲渡有価価値数を入力する指示のメッセージを表示する。ここで、遊技者は、入力操作部３０６を操作して、譲渡する有価価値が何か（指定有価価値）、度数、貯数、持数、再プレー用貯数、のいずれかから選択し、次いで譲渡する有価価値（譲渡有価価値）の数を入力する。制御部３００は、入力操作部３０６の操作内容を読み取り、指定有価価値と譲渡有価価値数を特定する（ステップＳ３１）。譲渡有価価値数の入力は、直接数値を入力してもよいし、表示部３０７に「１００玉」、「５００玉」、「１０００玉」等の分割数を表示し、表示された譲渡有価価値数を選択して、該選択毎に加算することにより最終的な用途有価価値数を入力するようにしてもよい。
【０２１１】
次に制御部３００は、現在遊技中のカードである当初遊技カードについて、自身の記憶部から読み出して当初遊技カードの各有価価値を特定する（ステップＳ３２）。
【０２１２】
次に制御部３００は、ステップＳ３３１において、上記第２の処理形態のその２、または第４の処理形態のその２であると判別した場合、（Ｋ）図２７へジャンプする。制御部３００は、ステップＳ３３１において上記第２の処理形態のその１、または第４の処理形態のその１であると判別した場合、既述した通り、外部からの受入カードが分割先カード、リーダライタ部２０３にある現在遊技中のカードが分割元カードである為、制御部３００は、入力した譲渡有価価値数と現在遊技中のカードの各有価価値の内指定有価価値の当初有価価値とを比較し（ステップＳ３３）、分割可能であるか否かを判定する（ステップＳ３４）。この判定の結果、分割ができない（譲渡有価価値数が当初有価価値数より大きい）場合、制御部３００は、表示部３０７にエラー表示を行い（ステップＳ３５）、ステップＳ３１に戻って再度譲渡有価価値数入力を行う。一方、分割可能な場合、制御部３００は、特定した指定有価価値における当初有価価値数から譲渡有価価値数を減算した残有価価値を算出する（ステップＳ３６）。例えば、残度数が１０００であり分割数が１００である場合、９００（１０００−１００）と１００に分割する。
【０２１３】
次に、制御部３００は、図１９におけるステップＳ３１８にて受け入れた当初遊技のカードの読み取り情報に基づいて、分割元カードを特定し（ステップＳ３７）、分割元カードが会員カードと非会員カードのいずれであるかを判定する（ステップＳ３８）。この判定の結果、会員カードであれば、制御部３００は、ステップＳ３９へ移行し、カード処理部３０１に対して、搬送ベルト２１４を駆動させて受け入れ中の分割元カードの排出（取り出し可能な位置への搬送）を指示する。これを受けて、カード処理部３０１は、搬送ベルト２１４を駆動して、受け入れ中の会員カードを取り出し可能な位置へ搬送し、当該会員カードが外部に抜き取られるまで待機し、外部への排出を検知するとステップＳ４０へ移行する（ステップＳ３９）。ステップＳ３８の判定の結果非会員カードであればステップＳ４５へ移行する。
【０２１４】
次に、制御部３００は、表示部に分割先カード（持玉の分割先の会員カードまたは非会員カード）を挿入するように指示するメッセージを表示する。ここで、遊技者は、分割先カードである会員カードまたは非会員カードを挿入する。これを受けて、カード処理部３０１は、カード挿入口２０２へのカード挿入を感知すると、搬送ベルト２１４を駆動し、挿入された分割先カードをカードリーダライタ部２０３付近迄搬送する（ステップＳ４０）。そして、制御部３００は、受け入れた会員カードまたは非会員カードに譲渡有価価値を対応付ける処理を行う（ステップＳ４１）。そして、制御部３００は、カード処理部３０１に対して、搬送ベルト２１４を駆動して、受け入れた会員カードまたは非会員カードの排出を指示する。これを受けて、カード処理部３０１は、譲渡有価価値数が対応付けられた会員カードまたは非会員カードを外部に抜き取り可能な位置まで移動させ、抜き取りがある迄待機する（ステップＳ４２）。なお、ステップＳ４１において、譲渡有価価値を対応付けるとは、受け入れた会員カードまたは非会員カードの当初有価価値に対して加算更新することを言う。
【０２１５】
次に、制御部３００は、表示部３０７に先に排出した分割元カード（遊技者が遊技に使用していた会員カード）を挿入するように指示するメッセージを表示する。ここで、遊技者は、分割元カードを挿入する。これを受けて、カード処理部３０１は、カード挿入口２０２へのカードの受入を検知すると、搬送ベルト２１４を駆動して、リーダライタ部２０３へ搬送する（ステップＳ４３）。そして、制御部３００は、当初有価価値から譲渡有価価値を減算した残有価価値を分割元カードに対応付ける処理を行う（ステップＳ４４）。
【０２１６】
一方、ステップＳ３８の判定の結果、非会員カードであれば、制御部３００は、カード貯留処理部３０２に対して、受け入れ中の分割元カードをカード貯留部２０４に退避するように指示する。これを受けて、カード貯留処理部３０２は、搬送ベルト２１４を駆動して、リーダライタ部から受け入れ中の非会員カードをカード貯留部２０４に退避させる（ステップＳ４５）。
【０２１７】
次に、制御部３００は、表示部３０７に分割先カード（持玉の分割先の会員カードまたは非会員カード）を挿入するように指示するメッセージを表示する。ここで、遊技者は、分割先カードである会員カードまたは非会員カードを挿入する。これを受けて、カード処理部３０１は、カード挿入口２０２へのカード挿入を感知すると、搬送ベルト２１４を駆動し、挿入された分割先カードをカードリーダライタ部２０３付近迄搬送する（ステップＳ４６）。そして、制御部３００は、受け入れた会員カードまたは非会員カードに譲渡有価価値を対応付ける処理を行う（ステップＳ４７）。そして、制御部３００は、カード処理部３０１に対して、受け入れた会員カードまたは非会員カードの排出を指示する。これを受けて、カード処理部３０１は、搬送ベルト２１４を駆動して、譲渡有価価値が対応付けられた会員カードまたは非会員カードを外部に排出する（ステップＳ４８）。なお、ステップＳ４７において、譲渡有価価値を対応付けるとは、受け入れた会員カードまたは非会員カードの当初有価価値に対して加算更新することを言う。
【０２１８】
次に、制御部３００は、カード貯留処理部３０２に対して、退避した非会員カードを取り出すように指示する。これを受けて、カード処理部３０１はカード貯留部２０４から、搬送ベルト２１４を駆動することで、退避した分割元カード（非会員カード）をカード貯留部２０４からカードリーダライタ部２０３の付近迄取り出す（ステップＳ４９）。そして、制御部３００は、当初有価価値から譲渡有価価値を減じた残有価価値を取り出した分割元カードに対応付ける処理を行う（ステップＳ５０）。
【０２１９】
次に、制御部３００は、ステップＳ３３１において、上記第２の処理形態のその２、または第４の処理形態のその２であると判別した場合、（Ｋ）図２７を以下如く実行する。制御部３００は、記第２の処理形態のその２、または第４の処理形態のその２であると判別した場合、既述した通り、外部からの受入カードが分割元カード、リーダライタ部２０３にある現在遊技中のカード（第２の処理形態の場合会員カード、第４の処理形態の場合非会員カード）が分割先カードである。制御部３００は、分割先カード（当初遊技カード）が会員カードであると判断した場合ステップＳ８０２に移行し、非会員カードであると判断した場合ステップＳ７２１に移行する（ステップＳ７０１）。
【０２２０】
ステップＳ７０１の判定で、制御部３００が会員カードであると判断した場合、当該会員カード（分割先カード、当初遊技カード）を外部に排出する指示をする。これを受けて、カード処理部３０１は、搬送ベルト２１４を駆動して、受入中の会員カードを取り出し可能な位置に搬送し、当該会員カードが外部に抜き取られるまで待機し、外部への排出を検知するとステップＳ７０３へ移行する（ステップＳ７０２）。
【０２２１】
次いで制御部は、表示部３０７に分割元（外部）カード（会員カードまたは非会員カード）を挿入するよう指示するメッセージを表示する。ここで遊技者は分割元（外部）カード（会員カードまたは非会員カード）をカード挿入口２０２へ挿入する。これを受けて、カード処理部３０１は、カード挿入口２０２へのカード挿入を感知すると、搬送ベルト２１４を駆動し、挿入された分割先カードをカードリーダライタ部２０３付近迄搬送する（ステップＳ７０３）。そして、制御部３００は、リーダライタ部２０３によって受け入れた分割元（外部）カードから読み出した情報に基づき、各種有価価値を特定する（ステップＳ７０４）。
【０２２２】
次に、制御部３００は、入力された譲渡有価価値数と受入分割元（外部）カードの当初有価価値を比較し（ステップＳ７０５）、当初有価価値数≧譲渡有価価値数が成立しない場合（ＮＯの場合）、ステップＳ７０７へ移行しエラー表示として、「有価価値数が不足しています、譲渡有価価値数を再入力してください」等を表示部３０７に表示する（ステップＳ７０７）。ここで、遊技者は、入力操作部３０６を操作して、譲渡有価価値数を再入力する。制御部３００は、再入力されるまで待機し、当該譲渡有価価値数が再入力されたと判断した場合、ステップＳ７０６に移行する（ステップＳ７０８）。
【０２２３】
制御部３００は、ステップＳ７０６の判定で当初有価価値数≧譲渡有価価値数が成立する場合（ＹＥＳの場合）、ステップＳ７０９に移行する。ステップＳ７０９では、当初有価価値から譲渡有価価値の減算を行い、残有価価値を算出する（ステップＳ７０９）。
【０２２４】
次に制御部３００は、受け入れた分割元（外部）カードに残有価価値を対応付け（ステップＳ７１０）、カード処理部３０１に対して、搬送ベルト２１４を駆動して、受け入れた会員カードまたは非会員カードの排出を指示する。これを受けて、カード処理部３０１は、残有価価値数が対応付けられた分割元（外部）カード（会員カードまたは非会員カード）を外部に抜き取り可能な位置まで移動させ、抜き取りがある迄待機する（ステップＳ７１１）。
【０２２５】
次に制御部３００は、先に外部に排出した分割先（当初遊技）カード（会員カード）を再度受け入れるべく、表示部３０７に「最初に遊技していたあなたの会員カードを再度挿入してください」と表示し、待機状態に移行する。次いで、遊技者が分割先（当初遊技）カード（会員カード）を挿入し、これを検知すると、カード処理部３０１に対して、搬送ベルト２１４を駆動して、挿入された分割先（当初遊技）カード（会員カード）をリーダライタ部２０３付近迄搬送するように指示する。この指示を受けたカード処理部３０１は、挿入された分割先（当初遊技）カード（会員カード）をリーダライタ部２０３付近迄搬送する（ステップＳ７１２）。
【０２２６】
次いで制御部３００は、受け入れた分割先（当初遊技）カード（会員カード）に譲渡有価価値を対応付ける（ステップＳ７１３）。なお、ステップＳ７３１において、譲渡有価価値を対応付けるとは、受け入れた分割先（当初遊技）カード（会員カード）の当初有価価値に対して加算更新することを言う。次いで制御部３００は、図２７に示すサブルーチンを終了して、呼出し元のジョブに戻る。
【０２２７】
一方制御部３００がステップＳ７０１において分割先カードが非会員カードであると判断した場合、ステップＳ７２１に移行する。
【０２２８】
ステップＳ７０１の判定で、制御部３００が非会員カードであると判断した場合、当該非会員カード（分割先カード、当初遊技カード）を内部のカード貯留部２０４に退避する指示をする。これを受けて、カード処理部３０１は、搬送ベルト２１４を駆動して、受入中の非会員カードをリーダライタ部２０３の奥側に搬送し、カード貯留部２０４に貯留する（ステップＳ７２１）。
【０２２９】
次いで制御部は、表示部３０７に分割元（外部）カード（会員カードまたは非会員カード）を挿入するよう指示するメッセージを表示する。ここで遊技者は分割元（外部）カード（会員カードまたは非会員カード）をカード挿入口２０２へ挿入する。これを受けて、カード処理部３０１は、カード挿入口２０２へのカード挿入を感知すると、搬送ベルト２１４を駆動し、挿入された分割先カードをカードリーダライタ部２０３付近迄搬送する（ステップＳ７２２）。そして、制御部３００は、リーダライタ部２０３によって受け入れた分割元（外部）カードから読み出した情報に基づき、各種有価価値を特定する（ステップＳ７２３）。
【０２３０】
次に、制御部３００は、入力された譲渡有価価値数と受入分割元（外部）カードの当初有価価値を比較し（ステップＳ７２４）、当初有価価値数≧譲渡有価価値数が成立しない場合（ＮＯの場合）、ステップＳ７２６へ移行しエラー表示として、「有価価値数が不足しています、譲渡有価価値数を再入力してください」等を表示部３０７に表示する（ステップＳ７２６）。ここで、遊技者は、入力操作部３０６を操作して、譲渡有価価値数を再入力する。制御部３００は、再入力されるまで待機し、当該譲渡有価価値数が再入力されたと判断した場合、ステップＳ７２５に移行する（ステップＳ７２７）。
【０２３１】
制御部３００は、ステップＳ７２５の判定で当初有価価値数≧譲渡有価価値数が成立する場合（ＹＥＳの場合）、ステップＳ７２８に移行する。ステップＳ７２８では、当初有価価値から譲渡有価価値の減算を行い、残有価価値を算出する（ステップＳ７２８）。
【０２３２】
次に制御部３００は、受け入れた分割元（外部）カードに残有価価値を対応付け（ステップＳ７２９）、カード処理部３０１に対して、搬送ベルト２１４を駆動して、受け入れた会員カードまたは非会員カードの排出を指示する。これを受けて、カード処理部３０１は、残有価価値数が対応付けられた分割元（外部）カード（会員カードまたは非会員カード）を外部に抜き取り可能な位置まで移動させ、抜き取りがある迄待機する（ステップＳ７３０）。
【０２３３】
次に制御部３００は、先にカード貯留部２０４に退避して貯留した、分割先（当初遊技）カード（非会員カード）を、搬送ベルト２１４を駆動して、リーダライタ部２０３付近迄搬送するように指示する。この指示を受けたカード処理部３０１は、挿入された分割先（当初遊技）カード（非会員カード）をリーダライタ部２０３付近迄搬送する（ステップＳ７３１）。
【０２３４】
次いで制御部３００は、受け入れた分割先（当初遊技）カード（非会員カード）に譲渡有価価値を対応付ける（ステップＳ７３２）。なお、ステップＳ７３２において、譲渡有価価値を対応付けるとは、貯留部２０４から取り出した分割先（当初遊技）カード（非会員カード）の当初有価価値に対して加算更新することを言う。次いで制御部３００は、図２７に示すサブルーチンを終了して、呼出し元のジョブに戻る。
【０２３５】
次に、図２８に示す模式図を参照して、図２６、図２７に示す第２の処理形態（発明２のその１：会員カード遊技中、挿入カードに有価価値譲渡）、（発明２のその２：会員カード遊技中、挿入カードの有価価値から会員カードに有価価値譲渡）における動作を説明する。図２９は、遊技中のカードが会員カードである場合の動作を示す模式図である。
【０２３６】
発明２のその１：会員カード遊技中、挿入カードに有価価値譲渡を説明する。まず、遊技者が、会員カードを挿入する（図１９のＳ３１８）（図２８（１））と、リーダライタ部２０３が受け入れた会員カードに対応付けされている各種の当初有価価値を読み出すか、新たな現金投入によって生じた度数やパチンコ玉を各台計数機で計数した持数等の有価価値を生成することで（図２８（２））、遊技可能状態となる。そして、制御部３００は、有価価値分割するための譲渡有価価値が入力されると、現時点での当初有価価値から譲渡有価価値を減算する。例えば、当初有価価値が１０００で譲渡有価価値が１００であれば、当初有価価値から譲渡有価価値を減算し９００にし、分割した値（ここでは、１００）を内部に記憶する（図２８（３））。
【０２３７】
次に、遊技中であった会員カードを外部に排出し（図２８（４））、新たな非会員カードまたは会員カードを受け入れる（図２８（５））。制御部３００は、リーダライタ部２０３を介して、譲渡有価価値を新たに受け入れた非会員カードまたは会員カードに対応付け（図２８（６））、この非会員カードまたは会員カードを外部に排出する（図２８（７））。そして、再び遊技中であった会員カードを挿入する（図２４（８）と、制御部３００は、リーダライタ部２０３を介して残有価価値（ここでは９００）を再び受け入れた会員カードに対応付ける（図２９（９））。
【０２３８】
なお、譲渡有価価値を新たに受け入れた非会員カードまたは会員カードに対応付けとは、新たに受け入れた非会員カードまたは会員カードの当初有価価値に譲渡有価価値を加算して更新することを言う。
【０２３９】
発明２のその２：会員カード遊技中、挿入カードの有価価値から会員カードに有価価値譲渡を説明する。まず、遊技者が、会員カードを挿入する（図１９のＳ３１８）（図２８（１））と、リーダライタ部２０３が受け入れた会員カードに対応付けされている各種の当初有価価値を読み出すか、新たな現金投入によって生じた度数やパチンコ玉を各台計数機で計数した持数等の有価価値を生成することで（図２８（２））、遊技可能状態となる。そして、制御部３００は、有価価値分割するための譲渡有価価値が入力されると、制御部３００は、遊技中であった会員カードを外部に排出し（図２８（４））、次に、新たな非会員カードまたは会員カードを受け入れる（図２８（５））。次いで新たな非会員カードまたは会員カードに対応付けられた当初有価価値をリーダライタ部２０３を介して読み取った情報から特定する。次に現時点での当初有価価値から譲渡有価価値を減算し、残有価価値を特定する。例えば、当初有価価値が１０００で譲渡有価価値が１００であれば、当初有価価値から譲渡有価価値を減算し９００（残有価価値）これら有価価値を内部に記憶する（図２８（３））。
【０２４０】
次いで制御部３００は、リーダライタ部２０３を介して、残有価価値（ここでは９００）を新たに受け入れた非会員カードまたは会員カードに対応付け（図２８（６））、この非会員カードまたは会員カードを外部に排出する（図２８（７））。そして、再び遊技中であった会員カードを挿入する（図２４（８）と、制御部３００は、リーダライタ部２０３を介して譲渡有価価値（ここでは１００）を再び受け入れた会員カードに対応付ける（図２９（９））。
【０２４１】
なお、譲渡有価価値を再び受け入れた会員カードに対応付けとは、再び受け入れた会員カードの当初有価価値に譲渡有価価値を加算して更新することを言う。
【０２４２】
次に、図２９に示す模式図を参照して、図２６、図２７に示す第４の処理形態（発明４のその１：非会員カード遊技中、会員カード挿入後非会員カードを貯留し、会員カードの有価価値に譲渡有価価値分を加算した後当該会員カード排出、非会員カードを貯留部から再度取り出して残有価価値で遊技継続）における処理動作を説明する。図２９は、遊技中のカードが非会員カードである場合の動作を示す模式図である。まず、遊技者が、非会員カードを挿入する（図２９（１））と、リーダライタ部２０３が受け入れた非会員カードに対応付けされている各種有価価値を読み出すか、新たな入金または各台計数機による遊技媒体の計数を受けてカード貯留部２０４からリーダライタ部２０３へ取り出し非会員カードへの有価価値の生成によって（図２９（２））、遊技可能状態となる。そして、制御部３００は、分割するために譲渡有価価値数が入力されると、現時点の有価価値から譲渡有価価値を減算して残有価価値を算出する。例えば、当初有価価値数が１０００で譲渡有価価値数が１００であれば、残有価価値が９００となり、当初有価価値数、譲渡有価価値数、残有価価値数をそれぞれ内部に記憶する（図２９（３））。
【０２４３】
次に、当初遊技中であった非会員カードをカード貯留部２０４に退避させ（図２８（４））、新たな非会員カードまたは会員カードを受け入れる（図２８（５））。制御部３００は、リーダライタ部２０３を介して、譲渡有価価値数を新たに受け入れた非会員カードまたは会員カードに対応付け（図２９（６））、この非会員カードまたは会員カードを外部に排出する（図２８（７））。そして、退避させた遊技中であった非会員カードを取り出し（図２４（８）、制御部３００は、リーダライタ部２０３を介して残有価価値数（ここでは９００）を取り出した非会員カードに対応付ける（図２９（９））。
【０２４４】
なお、譲渡有価価値数を新たに受け入れた非会員カードまたは会員カードに対応付けるとは、新たに受け入れた非会員カードまたは会員カードの当初有価価値数に譲渡有価価値数を加算更新することを言う。
【０２４５】
次に、図２９に示す模式図を参照して、図２６、図２７に示す第４の処理形態（発明４のその２：非会員カード遊技中、会員カード挿入後非会員カードを貯留し、会員カードの有価価値から譲渡有価価値分を減算した後当該会員カード排出、非会員カードを貯留部から再度取り出して減算分を当初非会員カードの有価価値に加算した残有価価値で遊技継続）における処理動作を説明する。図２９は、遊技中のカードが非会員カードである場合の動作を示す模式図である。まず、遊技者が、非会員カードを挿入する（図２９（１））と、リーダライタ部２０３が受け入れた非会員カードに対応付けされている各種有価価値を読み出すか、新たな入金または各台計数機による遊技媒体の計数を受けてカード貯留部２０４からリーダライタ部２０３へ取り出し非会員カードへの有価価値の生成によって（図２９（２））、遊技可能状態となる。そして、制御部３００は、分割するために譲渡有価価値数が入力されると、当初遊技中であった非会員カードをカード貯留部２０４に退避させ（図２８（４））、新たな非会員カードまたは会員カードを受け入れる（図２８（５））。そして、制御部３００は、新たに受け入れた会員カードもしくは非会員カードに対応付けられた当初有価価値数を特定する。
【０２４６】
次いで、制御部は、当初有価価値から譲渡有価価値を減算して残有価価値を算出する。例えば、当初有価価値数が１０００で譲渡有価価値数が１００であれば、残有価価値が９００となり、当初有価価値数、譲渡有価価値数、残有価価値数をそれぞれ内部に記憶する（図２９（３））。
【０２４７】
次に、制御部３００は、リーダライタ部２０３を介して、残有価価値数を新たに受け入れた非会員カードまたは会員カードに対応付け（図２９（６））、この非会員カードまたは会員カードを外部に排出する（図２８（７））。そして、退避させた遊技中であった非会員カードを取り出し（図２４（８）、制御部３００は、リーダライタ部２０３を介して譲渡有価価値数（ここでは９００）を取り出した非会員カードに対応付ける（図２９（９））。
【０２４８】
なお、譲渡有価価値数を取り出した非会員カードに対応付けるとは、取り出した会員カードの当初有価価値数に譲渡有価価値数を加算更新することを言う。
【０２４９】
このようにして、遊技中のカード（会員カードまたは非会員カード）から新たに挿入した会員カードまたは非会員カードに有価価値の譲渡が行われたり、新たに挿入した会員カードまたは非会員カードの有価価値から遊技中のカードに有価価値の譲渡が行われることになる。この機能を利用することにより、遊技者は、家族や友人に持玉を分け与えることが可能となる。
【０２５０】
＜グループ登録処理＞
次に、図３０を参照して、図２２に示すグループ登録処理（ステップＳ７）の詳細処理動作を説明する。図３０は、図２２のサブルーチンステップＳ７から呼び出されたサブルーチンであり、終了すると、図２２のステップＳ７の後のリターンに戻る。遊技者によって入力操作内容がグループ登録処理である選択された時点では、この遊技者が所有する会員カードが受け入れられている状態で遊技されている。まず、グループ登録が選択されると、制御部３００は、遊技中の会員カードのグループ登録情報を特定し（ステップＳ６１）。特定したグループ登録情報を内部に保持する。そして、制御部３００は、カード処理部３０１に対して、遊技中であった会員カードを外部に排出するように指示する。これを受けて、カード処理部３０１は、受け入れ中の会員カードを外部に排出する（ステップＳ６２）。
【０２５１】
次に、制御部３００は、表示部３０７にグループ登録する新たな会員カードを挿入するように指示するメッセージを表示する。このメッセージに対して、遊技者は、新たな会員カードを挿入する。カード処理部３０１は、挿入された新たな会員カードを受け入れる（ステップＳ６３）。そして、制御部３００は、カード処理部３０１に対して、グループ登録情報を新たな会員カードに対応付けるように指示する。これを受けて、カード処理部３０１は、制御部３００内に保持していたグループ登録情報を制御部３００から受け取り、このグループ登録情報を新たな会員カードに対応付ける（ステップＳ６４）。
【０２５２】
次に、制御部３００は、カード処理部３０１に対して、受け入れ中の会員カードを排出するように指示する。これを受けて、カード処理部３０１は、新たな会員カードを外部へ排出する（ステップＳ６５）。そして、制御部３００は、表示部３０７に先に排出した会員カード（遊技中であった会員カード）を挿入するように指示するメッセージを表示する。ここで遊技者は、先に排出された会員カードを挿入する。カード処理部３０１は、挿入された会員カードを再び受け入れる。
【０２５３】
なお、ステップＳ６２では、当初遊技の会員カードを排出するとしたが、会員カードと非会員カードの寸法、形状が同一の場合、当初遊技の会員カードをカード貯留部２０４に退避させるようにして、ステップＳ６６では外部から当初遊技の会員カードを再び受け入れるとしたが、カード貯留部２０４に退避させた会員カードを再びカードリーダライタ部２０３迄搬送するようにしてもよい。
【０２５４】
次に、図３１に示す模式図を参照して、図３０に示す処理動作を説明する。まず、遊技者が、会員カードを挿入する（図３１（１））と、リーダライタ部２０３が受け入れた会員カードに対応付けされている各種有価価値を読み出し（図３１（２））、遊技可能状態となる。そして、グループ登録の操作が行われると、制御部３００は、リーダライタ部２０３を介して会員カードに対応付けられているグループ登録情報（管理装置１３の記憶部に記憶され、ネットワーク８を介して読みだされる）を読み出し、この会員カードのグループ登録情報を特定する（図３１（３））。そして、遊技中であった会員カードを排出する（図３１（４）。
【０２５５】
次に、新たな会員カードを受け入れ（図３１（５））、制御部３００は、この会員カードが遊技中であった会員カードと同じグループに属するように、リーダライタ部２０３を介してグループ登録情報を対応付ける（図３１（６））。そして、新たな会員カードを外部に排出し（図３１（７））、再び遊技中であった会員カードを受け入れる（図３１（８））。
【０２５６】
このようにして、新たな会員カードに対して、遊技中の会員カードと同じグループに属するように、グループ登録情報を対応付けが行われることになる。この機能を利用することにより、遊技者は、台間機３を使用して、家族や友人が所有する会員カードを同じグループに属するようにグループ登録情報の対応付けを行うことが可能となる。
【０２５７】
また、複数の会員カードを１つのグループとして登録することにより、グループ間で、会員用記憶媒体（会員カード）を用いた遊技結果を各台間機３に備えた表示ユニットに並べて表示することにより、遊技の面白みを向上させることができるようになる。また、グループ間で、有価価値を共用して遊技を行うことが可能となり、利便性を向上させることができる。詳しくは、グループ登録すると、同一グループ間で互いの遊技結果を表示したり、任意の勝利条件（例えば確変大当りになるとか）でなるゴール（目標）を定め、必要に応じて互いの賞品（例えば各種有価価値のいずれかとか）を定め、遊技を開始し、先にゴールした方を賞する等のコンペティションゲーム、を可能ならしめるとか、互いの有価価値を、利子の有無設定に応じて、貸し出すとか、等のグループ遊技が例示できる。
【０２５８】
＜会員カード発行処理＞
次に、図３２を参照して、図２２に示す会員カード発行処理（ステップＳ８）の詳細処理動作を説明する。図３２は、図２２におけるサブルーチンのステップＳ８から呼び出されるサブルーチンであり、リターンにより呼出し元のステップＳ８の終了時点に戻る。遊技者によって会員カード発行処理が選択された時点では、この遊技者が所有する非会員カードが受け入れられている状態で遊技されている。まず、制御部３００は、店員をネットワーク８、管理装置１３、インカム（店内放送）を通じて「○○番台のお客様が会員となることを希望しています。」と放送し、カード処理部３０１に対して、受け入れ中の非会員カードの各有価価値情報を自身の記憶部から読み出す（ステップＳ７１）。そして、制御部３００は、リーダライタ部２０３に対して、受け入れ中の非会員カードの初期化するとともに、この非会員カードを貯留部２０４に貯留するように指示する。これを受けて、リーダライタ部２０３は、受け入れ中の非会員カードを初期化（残度数を０にする）とともに、カード貯留部２０４に貯留する（ステップＳ７２）。
【０２５９】
次に、制御部３００は、表示部３０７に未登録のカード（登録後に会員カードとなるカード）を挿入するように指示するメッセージを表示する。ここで、店員は、会員カードを発行するための未登録カードを挿入する。これを受けて、カード処理部３０１は、挿入された未登録カードを受け入れる（ステップＳ７３）。そして、制御部３００は、カード貯留部２０４に貯留された非会員カードに記憶されていた各種有価価値を新たに受け入れた未登録カードに対応付けるともに、この未登録カードのＩＤ情報（ここでは記憶媒体の製造時にＩＤ情報が既に記憶されているとする）と会員カードとして登録する旨の情報を、ネットワーク８を介して管理装置１３に送信する。これを受けて、管理装置１３では受信したＩＤ情報が未登録の状態から会員になった旨の情報の書き換えを行い（ステップＳ７４）、当初遊技していた非会員カードに対応付けられた各種有価価値を０とするとともに、会員カードの有価価値として会員カードに記憶するとともに、管理装置１３の記憶部に登録する（ステップＳ７５）。
【０２６０】
次に、図３３に示す模式図を参照して、図３２に示す処理動作を説明する。まず、遊技者が、台間機３、４、６に非会員カードを挿入するか、現金を入金するか遊技媒体を各台計数機にて計数して生じた有価価値に基づいてカード貯留部２０４からリーダライタ部２０３付近に取り出される（図３３（１））と、リーダライタ部２０３が受け入れた非会員カードに対応付けされている各種有価価値を読み出すか対応付け（図３３（２））、遊技可能状態となる。そして、制御部３００は、会員カード発行希望の操作が行われると、現時点の各種残有価価値を内部の記憶部に記憶保持する。そして、この非会員カードの度数を新たに発行する会員カードに度数を移行し（図３３（３））、非会員カードを初期化する（度数を０にする）（図３３（４））。
【０２６１】
次に、遊技中であった非会員カードをカード貯留部２０４に貯留し（図３３（５））、新たな未登録の会員カードを受け入れる（図３３（６））。制御部３００は、リーダライタ部２０３を介して、内部の記憶部に記憶保持しておいた各種有価価値（初期化した非会員カードに記憶されていた各種有価価値）を新たに受け入れた会員カードに対応付けるとともに、この会員カードを登録する（図３３（７））。新たに登録された会員カードは、返却ボタンによって返却される（図１９のステップＳ３２７ＹＥＳの場合）ことになる。
【０２６２】
このようにして、遊技中の非会員カードから新たに挿入した未登録の会員カードに各種有価価値が移行するとともに、台間機３、４、６において会員カードの発行を行うことが可能となる。この機能を利用することにより、遊技者は、持玉等の各種有価価値を非会員カードから会員カードへの移行し、かつ現状のまま（会員カード発行カウンタ等にわざわざ行かなくとも）遊技が行うことができるとともに、容易に新たな会員カードの発行を行うことが可能となる。
【０２６３】
また台間機３、４、６において上記の如くに発券した会員カードは、会員としての必須情報（住所、電話番号、メールアドレス等）が入力される迄、例えば他の台間機に挿入した場合や、次の日になった場合、使用禁止にするとか、店員向けに必須情報入力が必要な会員としてリストアップ可能に、管理装置１３の端末であるパーソナルコンピュータ１７で表示するようにするとよい。会員の場合、パチンコホールのイベント情報をダイレクトメールや電子メールにてお知らせする店舗側の目的があるので、これら必須情報が必要となる。
【０２６４】
なお、前述した説明においては、カード挿入時のみに、カード挿入を指示するメッセージを表示部３０７に表示してカード挿入を促すようにしたが、カード排出時にカード受け取りを指示するメッセージを表示して、カードの受け取りを促すようにしてもよい。
【０２６５】
以上、一実施の形態の記憶媒体処理装置システムおける記憶媒体処理装置、記憶媒体処理方法、記憶媒体処理システム、遊技管理方法、カード処理装置およびカード処理方法などについて説明した。
【０２６６】
本発明の記憶媒体処理装置、記憶媒体処理方法、記憶媒体処理システム、遊技管理方法、カード処理装置およびカード処理方法においては、非会員の遊技者が、券売機まで行ってプリペイドカードを購入せずに、直接遊技台に向かい、記憶媒体処理装置と情報通信ができるように接続された貯留機構付き紙幣識別装置１９の紙幣挿入口１９ａに、例えば、１万円などの現金を入金して遊技することができるので、遊技を不便なく快適に行うことができる。また、これによって、遊技者による遊技の停止時間を削減でき、遊技機の稼働率の向上を図ることができ、遊技場の経営の側においては、効率のよい運営をすることができる。
【０２６７】
また、カード貯留部２０４に貯留された有価価値を有しない非会員用ＩＣカード３１に、再度、有価価値を付与して発行することができるので、遊技者による遊技の停止時間を削減でき、遊技機の稼働率の向上を図ることができる。また、非会員用ＩＣカード３１を多数貯留することができるので、店員が非会員用ＩＣカード３１の補充または回収を頻繁に行う手間を省くことができる。
【０２６８】
さらに、有価価値を有しない非会員用ＩＣカード３１は、返却されずにカード貯留部２０４によって貯留されるので、非会員用ＩＣカード３１を紛失するなどの問題を解消することができる。また、カード貯留部２０４における非会員用ＩＣカード３１の貯留容量を超えた場合には、カード回収部２１６で非会員用ＩＣカード３１を回収することができるので、多くの非会員用ＩＣカード３１を記憶媒体処理装置内に貯留することができる。
【０２６９】
また、記憶媒体処理装置では、外部から読み取りまたは書き込みが不可能である不良の会員用ＩＣカード３０または非会員用ＩＣカード３１が挿入されたときには、不良の会員用ＩＣカード３０または非会員用ＩＣカード３１は返却されるので、特に、非会員用ＩＣカード３１の場合に、不良の非会員用ＩＣカード３１が貯留されるのを防止することができる。また、貯留されている非会員用ＩＣカード３１に不良があっても排除することができる。
【０２７０】
さらに、会員の遊技者と非会員の遊技者とを、会員用ＩＣカード３０または非会員用ＩＣカード３１の利用によって、区別して管理することができるので、会員の遊技者に特典を付与するなどして、会員の遊技者と非会員の遊技者との差別化を図ることができる。
【０２７１】
また、上記したように、会員としての処理、非会員としての処理に差を持たせ、会員の処理を優遇することで、再来店を促すようにしているが、会員としての処理、非会員としての処理は前述した処理に限るものではなく、会員としての処理と非会員としての処理に差があればよい。
【０２７２】
また、管理装置１３により、各機器の情報を管理しているので、管理装置１３に接続されているパーソナルコンピュータ１７などで、各遊技機毎や遊技ホール全体としての売上状況、各会員の遊技者の利用状況などを一括して把握することができる。
【０２７３】
ここでは、会員用ＩＣカード３０または非会員用ＩＣカード３１は、ＩＤだけを有し、その他の情報は管理装置１３において管理されるシステムを示したが、上記した実施の形態に何ら限定されるものではなく、構成、システムの制御等は本発明の技術的思想の範囲で拡張、変更することができる。
【０２７４】
そして、この拡張、変更した実施の形態も本発明の技術的範囲に含まれる。例えば、会員用ＩＣカード３０または非会員用ＩＣカード３１のそれ自身にも情報を記憶させておくこともできる。その場合には、会員用ＩＣカード３０または非会員用ＩＣカード３１の返却前に、会員用ＩＣカード３０または非会員用ＩＣカード３１に最新情報の書き込みが行われ、その後返却される。
【０２７５】
さらに、上記した一実施の形態では、遊技媒体としてパチンコ玉が使用された場合について説明したが、勿論、遊技媒体にメダルを使用した場合にも同様の作用効果を得ることができる。
【０２７６】
以上説明したように、縦状態に受け入れたカードを、搬送路上に１枚のみ受け入れ可能であり、その搬送路には、再発行可能な一時貯留部を備える場合に、遊技中のカードの有価価値の一部または全部を他のカードに引き継いで発行可能にするとともに、遊技を継続可能にすることができる。
【０２７７】
なお、図４、図１８、図２０における各処理部の機能を実現するためのプログラムをコンピュータ読み取り可能な記録媒体に記録して、この記録媒体に記録されたプログラムをコンピュータシステムに読み込ませ、実行することにより記憶媒体処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【０２７８】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【０２７９】
１…記憶媒体処理装置
２…パチンコ機
３、４、６…台間機
５…スロットマシン機
７…島コンピュータ
８…ネットワーク
９…計数機
１０…精算機
１１…景品管理機（ＰＯＳ）
１２…再プレー受付機
１３…管理装置
１４…プロトコルコンバータ
１５…モデム
１６…カードセンタ
１７…パーソナルコンピュータ
１８…景品払出機
１９…貯留機構付き紙幣識別装置
１９ａ…紙幣挿入口
１９ｂ…台間機指定ボタン
２０…発券機
２１…データ表示機
２２…データ公開機
【図１】
0005891008.tif 000002
【図２】
0005891008.tif 000003
【図３】
0005891008.tif 000004
【図４】
0005891008.tif 000005
【図５】
0005891008.tif 000006
【図６】
0005891008.tif 000007
【図７】
0005891008.tif 000008
【図８】
0005891008.tif 000009
【図９】
0005891008.tif 000010
【図１０】
0005891008.tif 000011
【図１１】
0005891008.tif 000012
【図１２】
0005891008.tif 000013
【図１３】
0005891008.tif 000014
【図１４】
0005891008.tif 000015
【図１５】
0005891008.tif 000016
【図１６】
0005891008.tif 000017
【図１７】
0005891008.tif 000018
【図１８】
0005891008.tif 000019
【図１９】
0005891008.tif 000020
【図２０】
0005891008.tif 000021
【図２１】
0005891008.tif 000022
【図２２】
0005891008.tif 000023
【図２３】
0005891008.tif 000024
【図２４】
0005891008.tif 000025
【図２５】
0005891008.tif 000026
【図２６】
0005891008.tif 000027
【図２７】
0005891008.tif 000028
【図２８】
0005891008.tif 000029
【図２９】
0005891008.tif 000030
【図３０】
0005891008.tif 000031
【図３１】
0005891008.tif 000032
【図３２】
0005891008.tif 000033
【図３３】
0005891008.tif 000034
【図３４】
0005891008.tif 000035